(57)【要約】【課題】外部表示装置に広告を送信し、該外部表示装置に該広告を表示させるコンテンツ再生装置において、該外部表示装置における該広告の表示状況等を取得する。【解決手段】携帯情報端末（１０）は、自端末で広告を表示するとともに、該広告または該広告に対応する広告をテレビ（３０）に表示させると、テレビ（３０）に広告を表示させたことを、広告配信サーバ（２０）に送信する。【選択図】図１
2014203045.tif 000002
【特許請求の範囲】
【請求項１】
サーバ装置から取得した広告を表示する表示部を備えたコンテンツ再生装置であって、
上記表示部に表示した第１の広告あるいは該第１の広告に対応する第２の広告を外部表示装置に送信し、該外部表示装置に表示させる外部表示制御手段と、
上記外部表示制御手段によって上記外部表示装置に上記第１の広告あるいは上記第２の広告が表示されたとき、上記外部表示装置に上記第１の広告あるいは上記第２の広告を表示した旨を示す表示結果情報を、上記サーバ装置に送信する表示結果情報送信手段と、を備えることを特徴とするコンテンツ再生装置。
【請求項２】
上記表示結果情報送信手段は、上記外部表示装置の画面サイズを上記表示結果情報に含めて上記サーバ装置に送信することを特徴とする請求項１に記載のコンテンツ再生装置。
【請求項３】
上記第２の広告を上記サーバ装置から取得する広告取得手段をさらに備えることを特徴とする請求項１または２に記載のコンテンツ再生装置。
【請求項４】
上記広告取得手段は、上記サーバ装置から、上記外部表示装置の画面サイズに応じた上記第２の広告を取得することを特徴とする請求項３に記載のコンテンツ再生装置。
【請求項５】
ユーザの操作に従って、上記第１の広告に対応する複数の上記第２の広告から少なくとも１つを選択する広告選択手段をさらに備え、
上記外部表示制御手段は、上記広告選択手段によって選択された上記第２の広告を上記外部表示装置に送信し、該外部表示装置に表示させることを特徴とする請求項１から４のいずれか１項に記載のコンテンツ再生装置。
【請求項６】
上記表示部に表示した上記第１の広告に対するユーザの操作を検出する広告操作検出手段をさらに備え、
上記広告操作検出手段によって上記ユーザの操作が検出されたとき、上記表示結果情報送信手段は、上記ユーザの操作が検出されたことを示す操作検出情報を、上記サーバ装置に送信することを特徴とする請求項１から５のいずれか１項に記載のコンテンツ再生装置。
【請求項７】
請求項１から６のいずれか１項に記載のコンテンツ再生装置と、
上記コンテンツ再生装置から受信した上記第１の広告あるいは上記第２の広告を表示する外部表示装置と、
上記コンテンツ再生装置から上記表示結果情報を受信するサーバ装置と、を含んでいることを特徴とする広告システム。
【請求項８】
サーバ装置から取得した広告を表示する表示部を備えたコンテンツ再生装置の制御方法であって、
上記表示部に表示した第１の広告あるいは該第１の広告に対応する第２の広告を外部表示装置に送信し、該外部表示装置に表示させる外部表示制御ステップと、
上記外部表示制御ステップにて上記外部表示装置に上記第１の広告あるいは上記第２の広告が表示されたとき、上記外部表示装置に上記第１の広告あるいは上記第２の広告を表示した旨を示す表示結果情報を、上記サーバ装置に送信する表示結果情報送信ステップと、を含むことを特徴とするコンテンツ再生装置の制御方法。
【請求項９】
請求項１から６のいずれか１項に記載のコンテンツ再生装置としてコンピュータを機能させるための制御プログラムであって、コンピュータを上記各手段として機能させるための制御プログラム。
【発明の詳細な説明】
【技術分野】
【０００１】
本発明は、サーバ装置から取得した広告を表示する表示部を備えたコンテンツ再生装置などに関する。
【背景技術】
【０００２】
従来、広告サービスの効率的な提供を可能にするとともに、広告効果の正確な把握を目的とする様々な研究が進められている。
【０００３】
例えば、下掲の特許文献１には、時刻、媒体自身の位置情報、及び、広告の表示サイズのいずれか、又は、全部の情報を持たせた電子表示装置と、季節、期間、時間、表示場所、表示サイズの各条件、あるいはこの組合せ条件に従って、前記電子表示媒体に広告情報を配信する広告表示システムが開示されている。
【０００４】
また一方で、スマホ等の携帯情報端末とテレビとを連携させ、該携帯情報端末に表示される情報をテレビにも表示させる技術が登場してきている。
【０００５】
特許文献２には、携帯端末等の表示端末において表示中の番組のような放送情報に関連する情報を、容易に保存、およびテレビ等の他の装置への転送が可能な態様で取得するための技術が開示されている。従って、例えば携帯情報端末の利用履歴等に基づいて、広告を携帯情報端末が取得し、該広告を自端末において表示させるだけでなく、該広告をテレビに転送し、テレビに表示させることも可能となる。
【先行技術文献】
【特許文献】
【０００６】
【特許文献１】特開２００８−２９８９０２号公報（２００８年１２月１１日公開）
【特許文献２】特開２０１０−１６６４９１号公報（２０１０年７月２９日公開）
【発明の概要】
【発明が解決しようとする課題】
【０００７】
しかしながら、上述のような従来技術は、広告を表示させる表示装置から、該広告の表示状況を取得するものではなく、広告の広告効果の把握に関して不十分であるという問題がある。
【０００８】
本発明は、上記の問題点に鑑みてなされたものであり、その目的は、サーバ装置から供給された広告が表示装置に表示されたかどうか等の情報を、該サーバ装置が取得可能なコンテンツ再生装置等を実現することにある。
【課題を解決するための手段】
【０００９】
上記の課題を解決するために、本発明の一態様に係るコンテンツ再生装置は、サーバ装置から取得した広告を表示する表示部を備えたコンテンツ再生装置であって、上記表示部に表示した第１の広告あるいは該第１の広告に対応する第２の広告を外部表示装置に送信し、該外部表示装置に表示させる外部表示制御手段と、上記外部表示制御手段によって上記外部表示装置に上記第１の広告あるいは上記第２の広告が表示されたとき、上記外部表示装置に上記第１の広告あるいは上記第２の広告を表示した旨を示す表示結果情報を、上記サーバ装置に送信する表示結果情報送信手段と、を備えていることを特徴としている。
【発明の効果】
【００１０】
本発明の一態様によれば、コンテンツ再生装置から外部表示装置へと広告を送信し、該外部表示装置に該広告を表示させる際、コンテンツ再生装置において、該外部表示装置における該広告の表示状況等をサーバ装置が取得することができるという効果を奏する。
【図面の簡単な説明】
【００１１】
【図１】本発明の一態様に係る携帯情報端末の要部構成の一例を示すブロック図である。
【図２】図１の携帯情報端末を含む広告システムの概要を示す図である。
【図３】図１の携帯情報端末が、図２に示す広告配信サーバに送信する広告の表示結果に係る情報のデータ構造および具体例を示す図である。
【図４】図２に示す広告配信サーバに蓄積される、広告ごとの表示結果の一覧情報のデータ構造および具体例を示す図である。
【図５】図１の携帯情報端末の画面例を示す図である。
【図６】図１の携帯情報端末に表示される広告と、図１の携帯情報端末から広告を取得するテレビに表示される広告とを対比して示す図である。
【図７】図２の広告システムにおける、携帯情報端末とテレビジョン受像機と広告配信サーバとの処理の流れを示すフローチャートである。
【図８】図７の処理の流れに従う携帯情報端末およびテレビジョン受像機の画面遷移図である。
【図９】図２の広告システムにおける携帯情報端末とテレビジョン受像機と広告配信サーバとの、図７とは別の処理の流れを示すフローチャートである。
【図１０】図９の処理の流れに従う携帯情報端末およびテレビジョン受像機の画面遷移図である。
【図１１】図１の携帯情報端末を含む、別の広告システムの概要を示す図である。
【図１２】図１１の広告システムにおける、携帯情報端末とテレビジョン受像機と広告配信サーバとの処理の流れを示すフローチャートである。
【図１３】図１の携帯情報端末を含む、さらに別の広告システムの概要を示す図である。
【図１４】図１３の広告システムにおける、携帯情報端末とテレビジョン受像機と広告配信サーバとの処理の流れを示すフローチャートである。
【図１５】図１２および図１４の処理の流れに従う携帯情報端末およびテレビジョン受像機の画面遷移図である。
【図１６】図１の携帯情報端末を含む、さらに別の広告システムの概要を示す図である。
【図１７】図１６の広告システムにおける、携帯情報端末とテレビジョン受像機と広告配信サーバとの処理の流れを示すフローチャートである。
【図１８】図１の携帯情報端末を含む、さらに別の広告システムの概要を示す図である。
【図１９】図１８の広告システムにおける、携帯情報端末とテレビジョン受像機と広告配信サーバとの処理の流れを示すフローチャートである。
【図２０】図１６および図１８の処理の流れに従う携帯情報端末およびテレビジョン受像機の画面遷移図である。
【図２１】図１の携帯情報端末を含む、他の広告システムの概要を示す図である。
【図２２】図２１の広告システムにおける、携帯情報端末とテレビジョン受像機と広告配信サーバとの処理の流れを示すフローチャートである。
【図２３】図２２の処理の流れに従う携帯情報端末およびテレビジョン受像機の画面遷移図である。
【発明を実施するための形態】
【００１２】
図１〜図２３に基づいて、本発明の実施の形態について詳細に説明する。なお、以下では本発明の一態様に係るコンテンツ再生装置を、広告配信サーバ２０（サーバ装置）から広告を取得（受信）し、該広告をテレビ３０（外部表示装置）に送信し、テレビ３０に表示させる、携帯情報端末１０に適用した例について説明する。
【００１３】
〔実施形態１〕
本発明の一態様に係る携帯情報端末１０（コンテンツ再生装置）の理解を容易にするため、以下にまず、広告システム１の概要について整理しておく。
【００１４】
（広告システムの概要）
図２は、携帯情報端末１０を含む、本発明の一態様に係る広告システム１の概略的な構成を示す図である。広告システム１は、通信ネットワークを介して互いに通信可能な携帯情報端末１０と広告配信サーバ２０、および携帯情報端末１０と通信可能なテレビジョン受像機（以下、単に「テレビ」と称する）３０を含んで構成される。
【００１５】
携帯情報端末１０は、広告配信サーバ２０から広告を取得し、自端末の表示部において該広告を表示する一方、広告配信サーバ２０から取得した広告をテレビ３０に送信し、テレビ３０においても、広告配信サーバ２０から取得した広告を表示させる。
【００１６】
すなわち、まず、携帯情報端末１０は広告配信サーバ２０から、１つの広告につき、携帯情報端末用広告Ａｄ１ｍ（第１の広告）と外部表示装置用広告Ａｄ１ｔ（第２の広告）とを、取得する（図２の（１））。
【００１７】
次に、自端末においては携帯情報端末用広告を表示し、テレビ３０には外部表示装置用広告を送信し、外部表示装置用広告をテレビ３０に表示させる（図２の（２））。
【００１８】
そして、携帯情報端末１０は、テレビ３０に外部表示装置用広告を表示させたことを、表示結果情報１７２として、広告配信サーバ２０に送信する（図２の（３））。
【００１９】
なお、以下の説明において、或る商品・サービスに係る広告について、携帯情報端末に表示させる携帯情報端末用広告と、外部表示装置に表示させる外部表示装置用広告との２種類を特に区別する必要がある場合、説明の簡略化を図るため、以下のように表記する。すなわち、携帯表示装置用広告を示す場合は、「Ａｄ１ｍ」のように、最後に「ｍ」という文字を加えて表記し、該商品・サービスに係る外部表示装置用広告を示す場合は、「Ａｄ１ｔ」のように、最後に「ｔ」という文字を加えて表記する。最後に加えられた「ｍ」という文字、または「ｔ」という文字を除いた部分が同じ広告は、同じ商品・サービスに係る広告である。つまり、「Ａｄ１ｍ」と「Ａｄ１ｔ」とは、同じ商品・サービスに係る、携帯情報端末用広告と、外部表示装置用広告とである。
【００２０】
また、詳細は後述するが、携帯情報端末１０は、以下のような機能を備えていてもよい。すなわち、携帯情報端末１０は、テレビ３０に付属の専用リモコンと同じように、テレビ３０に対するチャンネル切替、音量調整等のユーザ操作を、タッチパネル１４１、操作ボタン１４２等を介して受け付け、該ユーザ操作に応じた処理をテレビ３０に実行させることができる。
【００２１】
また、携帯情報端末１０は、テレビ３０にユーザ操作に応じた処理を実行させることができるとともに、テレビ３０が実行する処理、およびテレビ３０の画面サイズ等、テレビ３０における表示条件に係る情報を、テレビ３０から取得することができてもよい。例えば、テレビ３０の画面サイズ、携帯情報端末１０から受信した広告を表示した期間、および、該広告を表示させている間に該広告と一緒に表示した該広告以外のコンテンツ（図２における「テレビ番組Ｐｇ１」）を、携帯情報端末１０はテレビ３０から取得する。
【００２２】
さらに、携帯情報端末１０は、以上に示したような情報をテレビ３０から取得し、自端末における広告の表示期間、および自端末の画面サイズ（表示部１６０の画面サイズ）と一緒に、表示結果情報として、広告配信サーバ２０に送信することができてもよい。すなわち、広告配信サーバ２０から取得した広告を表示させたテレビ３０の画面サイズ、テレビ３０に該広告を表示させた期間、該広告をテレビ３０に表示させた際に、テレビ３０に広告と一緒に表示されていた番組・チャンネル（広告以外のコンテンツ）等と、自端末の画面サイズ、広告を表示した時間等とを、表示結果情報として、携帯情報端末１０は広告配信サーバ２０に送信してもよい。
【００２３】
広告配信サーバ２０は、携帯情報端末１０に広告を配信する汎用計算機である。なお、広告配信サーバ２０は、上記のように、１つの広告につき、携帯情報端末用広告Ａｄ１ｍと、外部表示装置用広告Ａｄ１ｔとを、携帯情報端末１０に送信する。広告配信サーバ２０はさらに、携帯情報端末１０から、上記表示結果情報を受信する。広告配信サーバ２０が取得する上記表示結果情報を分析することによって、広告の利用状況、例えば、どのような広告がテレビ３０に表示され、関心を持たれる広告であるのかといった点を研究することができる。さらに、上記表示結果情報の中に含まれる携帯情報端末１０の識別情報から、携帯情報端末１０のユーザの特性を知ることができれば、広告の広告効果についての研究についてさらに、例えば以下のような点から、研究を進めることも可能となる。すなわち、どのようなユーザ特性を有する消費者が、どのような状況（例えばどのような番組を見ている時に）において、どのような広告に関心を抱く傾向があるのか、といったことを分析することも可能となる。
【００２４】
テレビ３０は、携帯情報端末１０から受信する外部表示装置用広告Ａｄ１ｔ等を表示するとともに、放送局から放送される電波を受信してテレビ番組Ｐｇ１（携帯情報端末１０以外から取得するコンテンツ）を表示することができる。また、テレビ３０は、テレビ３０に有線または無線で接続される録画装置（図示しない）等によって供給されるコンテンツ（携帯情報端末１０以外から取得するコンテンツ）を表示することができる。なお、上記録画装置等はテレビ３０に内蔵されていてもよい。
【００２５】
広告システム１においては、以下の機能が実現される。すなわち、携帯情報端末１０が広告配信サーバ２０から取得した広告は、携帯情報端末１０からテレビ３０に送信され、該広告はテレビ３０に表示される。そして、携帯情報端末１０は、テレビ３０に上記広告を表示させたことを、広告配信サーバ２０に送信する。
【００２６】
ここで、これまでのスマートフォン（以下、単に「スマホ」と称することがある）等の携帯情報端末向け広告においては、例えば、スマホの利用履歴を用いて、スマホのユーザが興味ある広告を提供していた。そして、例えば、スマホに広告が表示され、スマホに表示された広告がクリックされたという情報を、スマホのアプリが把握し、その情報を広告配信サーバに送ることによって、広告主は広告の利用状況を把握していた。一方で、スマホ等の携帯情報端末とテレビとを連携させ、その携帯情報端末の保持する情報をテレビに表示させる技術が登場してきている。この技術により、例えば、広告をスマホで取得し、スマホに広告を表示させるだけでなく、テレビにも広告を表示させることが可能となる。従って、この技術は、例えばスマホ向け広告の新たな広告スペース(テレビ)を広告主に提供できる。しかし、アプリはスマホに表示する広告だけでなく、テレビに表示させる広告の利用状況（例えば、表示結果）についても管理が必要となる。
【００２７】
広告システム１において、携帯情報端末１０によって広告配信サーバ２０から取得された広告は、携帯情報端末１０の表示部１６０に表示されるだけでなく、携帯情報端末１０によってテレビ３０へと送信され、テレビ３０においても表示される。そして、携帯情報端末１０は、上記広告の、自端末（携帯情報端末１０）における表示状況（表示結果）だけでなく、テレビ３０における上記広告の表示状況（表示結果）をも、広告配信サーバ２０へと送信する。従って、広告システム１においては、携帯情報端末１０における広告の利用状況（表示状況）だけでなく、テレビ３０における広告の利用状況（表示結果）を管理することができる。なお、詳細は後述するが、携帯情報端末１０によって広告配信サーバ２０から取得される広告は、携帯情報端末１０が保有する、携帯情報端末１０の利用履歴等の情報に基づいて、広告配信サーバ２０から取得されてもよい。
【００２８】
なお、図２に示す上記の例では、携帯情報端末１０はまず、広告配信サーバ２０から、携帯情報端末用広告Ａｄ１ｍと外部表示装置用広告Ａｄ１ｔとを取得する。そして、Ａｄ１ｍについては自端末で表示し、Ａｄ１ｔについてはテレビ３０に送信し、テレビ３０に表示させる。しかし、携帯情報端末１０が、広告配信サーバ２０から２つの広告（Ａｄ１ｍとＡｄ１ｔ）を取得することは必須ではない。携帯情報端末１０は、広告配信サーバ２０から、１つの広告を取得し、該広告を自端末で表示するとともに、該広告をテレビ３０に送信して、テレビ３０に該広告を表示させてもよい。広告システム１において、携帯情報端末１０は、広告配信サーバ２０から取得した広告を、自端末で表示するとともに、テレビ３０に送信して、広告配信サーバ２０から取得した広告をテレビ３０に表示させ、表示結果を広告配信サーバ２０に送信すればよい。
【００２９】
すなわち、携帯情報端末１０に表示される広告と、携帯情報端末１０からテレビ３０に送信され、テレビ３０において表示される広告とは異なるものであっても、同じものであってもよい。携帯情報端末１０に表示される広告と、テレビ３０において表示される広告とを同じものにした場合、携帯情報端末１０の表示部１６０に表示される画面と、テレビ３０に表示させる画面とは完全に連携することになる。また、携帯情報端末１０の表示部１６０に表示する画面の内、広告以外の部分は同じ画面を表示させ、広告の部分だけを外部表示装置用広告に差替えた画面をテレビ３０に表示させる、携帯情報端末１０とテレビ３０との画面の一部連携を実現させることもできる。ただし、一般的に、携帯情報端末１０の表示部１６０よりもテレビ３０の画面の方がサイズは大きいと考えられ、従って、携帯情報端末１０に表示されるのよりもより詳細な情報を含む広告が、テレビ３０に表示されることが望ましい。なお、テレビ３０に表示される、携帯情報端末１０に表示されるのよりもより詳細な情報を含む広告も、携帯情報端末１０に表示される広告も、携帯情報端末１０が、広告配信サーバ２０から取得（受信）する。
【００３０】
また、図２に示す携帯情報端末１０は、広告配信サーバ２０から取得した広告をテレビ３０に表示させると、該広告をテレビ３０に表示させた旨を、表示結果情報１７２として、広告配信サーバ２０に送信するとした。しかし、上記のように、携帯情報端末１０が広告配信サーバ２０に送信する表示結果情報１７２は、図２に示すものに限られない。すなわち、携帯情報端末１０は、自端末（表示部１６０）の画面サイズおよび自端末にＡｄ１ｍを表示させた期間と、テレビ３０におけるテレビ用広告（外部表示装置用広告）Ａｄ１ｔの表示期間、テレビ３０の画面サイズ、および、テレビ３０においてＡｄ１ｔと一緒に表示された広告Ａｄ１ｔ以外のコンテンツ（テレビ番組Ｐｇ１）に係る情報とを含む、表示結果情報１７２を、広告配信サーバ２０に送信してもよい。さらに、携帯情報端末１０は、テレビ３０に対するユーザ操作の履歴を記憶し、該ユーザ操作の履歴を、上記表示結果情報と共に（上記表示結果情報の一部として）、広告配信サーバ２０に送信してもよい。また、携帯情報端末１０を他の携帯情報端末等の電子機器から識別する識別情報、および携帯情報端末１０に対するユーザの操作履歴など、携帯情報端末１０の保持する情報を、上記表示結果情報と共に（上記表示結果情報の一部として）、広告配信サーバ２０に送信することもできる。例えば、テレビ３０に対するユーザ操作の履歴に基づいて携帯情報端末１０のユーザの嗜好を推定し、ユーザの嗜好と広告の表示結果情報と一緒に分析することが可能となる。その結果、ユーザ特性に応じた内容の広告を制作し、広告の有する広告効果を向上させたり、ユーザに対して、ユーザがより強い関心を持っている商品・サービスに係る広告を提供することが可能となったりする。なお、携帯情報端末１０が広告配信サーバ２０に送信する表示結果情報１７２の内容、および、表示結果情報１７２をどのようにして取得するかについて、詳細は後述する。
【００３１】
なお、携帯情報端末１０がテレビ３０に表示させている広告が、近距離無線通信または有線通信によって、携帯情報端末１０からテレビ３０に送信されたものである場合、テレビ３０に該広告を表示させた旨の表示結果情報１７２によって、以下の状況を把握することが可能となる。すなわち、携帯情報端末１０が上記広告をテレビ３０に表示させた時点において、テレビ３０は携帯情報端末１０に近傍していたという状況を把握することができる。
【００３２】
次に、以上のような機能を実現することのできる広告システム１における、携帯情報端末１０の構成について説明する。
【００３３】
（携帯情報端末の概要）
携帯情報端末１０について、最初に概要を説明しておけば、携帯情報端末１０は、上記のように、広告配信サーバ２０から広告を取得する。そして、携帯情報端末１０は、自端末の表示部１６０において、広告配信サーバ２０から取得した広告を表示するとともに、広告配信サーバ２０から取得した広告をテレビ３０に送信し、テレビ３０の画面に表示させる。また、携帯情報端末１０は、上記広告をテレビ３０に表示させたという旨を含む表示結果情報１７２を、広告配信サーバ２０に送信する。
【００３４】
（携帯情報端末の要部構成）
図１は、携帯情報端末１０の要部構成の一例を示すブロック図である。図１に示すとおり、携帯情報端末１０は、制御部１１０と、第１通信部１２０と、第２通信部１３０と、操作部１４０と、音声入出力部１５０と、表示部１６０と、記憶部１７０とを含んで構成され、例えばスマートフォンによって実現される。本実施形態では、携帯情報端末１０として、スマートフォンなどの携帯電話機を想定している。しかし、携帯情報端末１０は携帯電話機に限定されることはなく、他の実施形態では、たとえばＰＤＡ（Personal Digital Assistant）のように電話機能を備えていない端末装置によって実現されてもよい。なお、記載の簡潔性を担保するため、本実施の形態に直接関係のない構成（電話回線を利用して通話を実現する部分など）は、説明およびブロック図から省略している。ただし、実施の実情に則して、携帯情報端末１０は、当該省略された構成を備えてもよい。
【００３５】
携帯情報端末１０としては、通信ネットワークを介して広告配信サーバ２０と通信可能に構成されるとともに、画像を表示可能な表示部１６０（図２、図３参照）を備え、さらに、テレビジョン受像機（以下、「テレビ」と略記する）３０を遠隔操作するための無線信号を送信可能に構成されるものであればよい。
【００３６】
表示部１６０は、画像を表示することができるように構成され、例えば、液晶パネルおよびバックライトユニットを備える液晶ディスプレイによって実現される。表示部１６０には、電話機能および電子メール機能を使用する際の操作画面、ウェブブラウザ１７４によるウェブサイト閲覧画面、などの各種画面が表示される。
【００３７】
操作部１４０は、制御部１１０に対するユーザからの指令、およびデータ入力のための操作を受け付け、具体的には、タッチパネル１４１と、複数の操作ボタン１４２とによって実現される。操作部１４０に対する、ボタン押下等のユーザ操作は、入力受付部１１３によって、該ユーザ操作に応じた指令信号および入力データへと変換される。
【００３８】
音声入出力部１５０は、制御部１１０に対するユーザからの音声による指令、およびデータ入力のための操作を受け付け、また、制御部１１０等の動作結果を、音声によって、ユーザに通知する。音声入出力部１５０は、具体的には、例えば、着信音等のサウンドおよび通話時の音声を出力するスピーカと、通話時および音声による指令・データ入力の際にユーザの音声が入力されるマイクとによって実現される。音声入出力部１５０に対する、ユーザの音声による指令・データ入力（操作）は、入力受付部１１３によって、ユーザの音声による該操作に応じた指令信号および入力データへと変換される。なお、音声入出力部１５０は、電話機能を実現するための構成を含むが、電話機能の技術は公知であるため説明を省略する。
【００３９】
第１通信部１２０は、携帯情報端末１０が外部の機器（広告配信サーバ２０）と通信するためのものである。具体的には、携帯情報端末１０は、第１通信部１２０を介して広告配信サーバ２０と通信を行い、例えば、広告配信サーバ２０から広告を受信し、該広告の表示結果を広告配信サーバ２０に送信する。広告の表示結果とは、例えば、どのようなサイズの画面に、どの程度の期間、広告を表示したか、等の情報であり、詳細は後述する。
【００４０】
第２通信部１３０は、携帯情報端末１０が外部表示装置（テレビ３０）と通信するためのものである。すなわち、携帯情報端末１０は、第２通信部１３０を介して、テレビ３０に表示させる広告等のコンテンツを、無線通信または有線通信によって、テレビ３０に送信する。
【００４１】
なお、携帯情報端末１０は、第２通信部１３０を介して、テレビ３０から、テレビ３０の画面サイズ、広告配信サーバ２０から取得した広告等のコンテンツをテレビ３０に表示させた期間、および、該コンテンツと一緒にテレビ３０に表示された、該コンテンツ以外のコンテンツ（つまり携帯情報端末１０から受信したコンテンツ以外のコンテンツ）に係る情報を、例えば無線通信によって受信することができてもよい。さらに、携帯情報端末１０は、第２通信部１３０を介して、テレビ３０を遠隔操作するための各種のコマンド信号を、例えば無線通信によって送信する。詳細は後述するが、各種のコマンド信号は、ユーザによる操作部１４０への所定の入力操作に応じて、制御部１１０（特に状態管理部１１４）によって生成される。なお、第２通信部１３０は、制御部１１０によって生成される各種のコマンド信号を、赤外線通信によって外部へ送信するように構成されてもよく、ＩＥＥＥ８０２．１１、Ｂｌｕｅｔｏｏｔｈ（登録商標）およびＺｉｇｂｅｅ（登録商標）などの無線通信によって外部へ送信するように構成されてもよい。携帯情報端末１０において、第２通信部１３０は、各種のコマンド信号を、赤外線通信によって外部へ送信する機能と、Ｗｉ−Ｆｉ、つまりＩＥＥＥ８０２．１１による無線通信によって外部へ送信する機能との両方を備えて構成されている。第２通信部１３０はさらに、Ｍｉｒａｃａｓｔなどのワイヤレス方式、または、ＨＤＭＩ（登録商標）、ＨＭＬなど有線方式によって、広告等のコンテンツを、テレビ３０に送信する。
【００４２】
記憶部１７０は、携帯情報端末１０が使用する各種データを格納する記憶装置である。なお、記憶部１７０は、携帯情報端末１０の制御部１１０が実行する（１）制御プログラム、（２）ＯＳプログラム、（３）制御部１１０が、携帯情報端末１０が有する各種機能を実行するためのアプリケーションプログラム、および、（４）該アプリケーションプログラムを実行するときに読み出す各種データを非一時的に記憶してもよい。記憶部１７０に格納されているデータの一例を挙げれば、ウェブブラウザ１７４のほか、テレビ受像機との連携機能を実現させるためのテレビ制御用アプリケーション１７３、およびテレビ制御用アプリケーション１７３を実行する際に必要な各種のデータである。上記の（１）〜（４）のデータは、例えば、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）等の不揮発性記憶装置に記憶される。なお、テレビ制御用アプリケーション１７３が携帯情報端末１０にインストールされ実行されることによって、携帯情報端末１０は、テレビ３０との連携機能（テレビ３０への広告および制御信号の送信、テレビ３０の画面サイズおよびの該広告の表示期間等のテレビ３０からの受信）を実現することが可能となる。
【００４３】
携帯情報端末１０は、図示しない一時記憶部を備えていてもよい。一時記憶部は、携帯情報端末１０が実行する各種処理の過程で、演算に使用するデータおよび演算結果等を一時的に記憶するいわゆるワーキングメモリであり、ＲＡＭ（Random Access Memory）などの揮発性記憶装置で構成される。
【００４４】
どのデータをどの記憶装置に記憶するのかについては、携帯情報端末１０の使用目的、利便性、コスト、または、物理的な制約などから適宜決定される。
【００４５】
記憶部１７０はさらに、詳細は後述するが、広告配信サーバ２０から取得した広告（広告データ１７１）、および、該広告をテレビ３０に表示させたという、広告ごとの表示結果の情報（表示結果情報１７２）を格納している。なお、詳細は後述するが、表示結果情報１７２には、上記広告を表示させたテレビ３０の画面サイズ、テレビ３０に上記広告を表示させた時間、テレビ３０に上記広告を表示させた際に上記広告と一緒にテレビ３０に表示されていた番組（チャンネル）等の情報を含んでもよい。
【００４６】
制御部１１０は携帯情報端末１０の機能を統括して制御するものである。図示の制御部１１０には、機能ブロックとして、広告取得部１１１（広告取得手段）、第１表示制御部１１２、入力受付部１１３（広告操作検出手段）、状態管理部１１４、第２表示制御部１１５（外部表示制御手段）、送信部１１６（表示結果情報送信手段）が含まれている。上述した制御部１１０の各機能ブロックは、例えば、ＣＰＵ（central processing unit）などが、ＲＯＭ（read only memory）、ＮＶＲＡＭ（non-Volatile random access memory）等で実現された記憶装置（記憶部１７０）に記憶されているプログラムを不図示のＲＡＭ（random access memory）等に読み出して実行することで実現できる。
【００４７】
以下、制御部１１０中の各機能ブロックについて説明する。
【００４８】
（各機能ブロックの概要）
広告取得部１１１は、広告配信サーバ２０へ広告を要求する信号を送信し、広告配信サーバ２０から広告を取得し、取得した広告を記憶部１７０に、広告データ１７１として格納する。なお、上記のように、広告取得部１１１は広告配信サーバ２０から、例えば、１つの広告につき、携帯情報端末用広告と外部表示装置用広告とを取得し、つまり同じ１つの商品・サービスについて、その概要についての広告と、その詳細情報を含む広告とを取得する。ただし、広告取得部１１１が広告配信サーバ２０から取得する広告は、同じ１つの商品・サービスについて、その概要についての広告と、その詳細情報を含む広告とであることは必須ではなく、例えば、或る広告（第１の広告）と、該或る広告に対応する別の広告（第２の広告）とを取得することができる。さらに、詳細は後述するが、広告取得部１１１は広告配信サーバ２０から、上記或る広告のみを取得してもよい。
【００４９】
第１表示制御部１１２は、携帯情報端末１０とテレビ３０との連携に係る各種画面を表示部１６０に表示させる。第１表示制御部１１２が表示部１６０に表示させる画面について、詳細は後述する。第１表示制御部１１２はまた、表示部１６０に表示させた広告について、表示部１６０に表示させた期間等を、表示部１６０の画面サイズなどと一緒に、表示結果情報１７２（の一部）として、記憶部１７０に格納してもよい。
【００５０】
入力受付部１１３は、携帯情報端末１０のユーザによる、操作部１４０への操作を受け付ける手段である。入力受付部１１３は、例えばユーザが音声入出力部１５０に発した言葉をユーザ操作として受け付けもよい。
【００５１】
状態管理部１１４は、第２通信部１３０を介して、携帯情報端末１０とテレビ３０との通信状態を判定する。そして、携帯情報端末１０とテレビ３０とが通信可能な状態であると判定すると、状態管理部１１４は、テレビ３０の表示状況を取得する。テレビ３０の表示状況等とは、例えば、テレビ３０を他の電子機器（表示装置）から識別するための識別情報と、テレビ３０の画面サイズと、テレビ３０が携帯情報端末１０から受信した広告を表示させていた期間と、該広告と一緒にテレビ３０に表示されていた、携帯情報端末１０以外から取得したコンテンツに係る情報と、である。状態管理部１１４は、テレビ３０から取得した上記表示状況等を、表示結果情報１７２（の一部）として、記憶部１７０に格納する。
【００５２】
状態管理部１１４は、さらに、テレビ３０を遠隔操作するための各種のコマンド信号を生成し、該コマンド信号を、第２通信部１３０を介してテレビ３０に送信することにより、テレビ３０を制御する。状態管理部１１４はまた、テレビ３０から、テレビ３０の表示状況等を取得する。
【００５３】
第２表示制御部１１５は、テレビ３０に、広告取得部１１１によって取得され、記憶部１７０に広告データ１７１として格納された広告を送信し、テレビ３０に該広告を表示させる。第２表示制御部１１５はまた、第１表示制御部１１２が表示部１６０に表示させている情報と同じ情報を、テレビ３０に送信して、テレビ３０に、表示部１６０に表示されている情報と同じ情報を表示させることができる。なお、詳細は後述するが、第２表示制御部１１５は、表示部１６０に表示されている情報（画面）のうち、広告のみを、外部表示装置用広告に差替え、他の部分は同じ情報を、テレビ３０に送信し、表示させることができる。また、第２表示制御部１１５は、第１表示制御部１１２が表示部１６０に表示させている情報（画面）と全く同じ情報（画面）を、テレビ３０に送信し、表示させることもできる。
【００５４】
送信部１１６は、広告取得部１１１によって取得された広告が、第２表示制御部１１５によってテレビ３０に表示されると、テレビ３０の広告を表示させた旨を含む表示結果情報１７２を、第１通信部１２０を介して、広告配信サーバ２０に送信する。
【００５５】
（記憶部に格納されている情報について）
図３は、携帯情報端末１０が広告配信サーバ２０に送信する、広告の表示結果に係る情報（表示結果情報１７２）のデータ構造および具体例を示す図である。
【００５６】
図３の表示結果情報の１行目は、以下に詳細を示すように、広告識別情報が「Ａｄ１ｍ」である広告が、携帯情報端末識別情報が「Ｍｏ１２３」である携帯情報端末１０に表示され、広告識別情報が「Ａｄ１ｔ」である広告が、外部表示装置識別情報が「Ｔｖ４５６」であるテレビ３０に表示されたことを示す。
【００５７】
すなわち、広告識別情報が「Ａｄ１ｍ」である広告は、広告配信サーバ２０から携帯情報端末１０によって取得され、２０１３年５月３日１３時４７分５１秒から１３時５７分２３秒まで、携帯情報端末１０の表示部に表示された。広告識別情報が「Ａｄ１」である広告を表示した携帯情報端末１０の表示部の画面サイズは「７」インチである。
【００５８】
また、広告識別情報が「Ａｄ１ｔ」である広告は、携帯情報端末１０によって取得され、携帯情報端末１０によって、外部表示装置識別情報が「Ｔｖ４５６」であるテレビ３０に送信され、２０１３年５月３日１３時５２分３７秒から１３時５５分１３秒まで、テレビ３０に表示された。テレビ３０の画面サイズは「４０」インチであり、広告識別情報が「Ａｄ１ｔ」である広告を表示させている間、テレビ３０において、チャンネル番号が「１０」のチャンネルが選択されていた。
【００５９】
また、図３の表示結果情報の２行目は、以下の表示結果を示している。すなわち、広告識別情報が「Ａｄ２ｍ」である広告は、２０１３年５月３日１７時０８分２０秒から１７時２１分４３秒まで携帯情報端末１０の表示部に表示された。また、広告識別情報が「Ａｄ２ｔ」である広告は、２０１３年５月３日１７時１０分４７秒から１７時２１分４３秒までテレビ３０に表示された。そして、広告識別情報が「Ａｄ２ｔ」である広告を表示させている間、テレビ３０において、チャンネル番号が「１２」のチャンネルが選択されていた。
【００６０】
さらに、図３の表示結果情報の３行目は、広告識別情報が「Ａｄ３ｍ」である広告は、２０１３年５月３日１９時２１分３３秒から１９時５３分５１秒まで携帯情報端末１０の表示部に表示されたことを示している。さらに３行目は、広告識別情報が「Ａｄ３ｍ」である広告に対応する外部表示装置用広告（Ａｄ３ｔ）は、携帯情報端末１０からテレビ３０には送信されず、テレビ３０に、広告識別情報が「Ａｄ３ｔ」である広告は、表示されなかった、ことを示している。
【００６１】
なお、広告識別情報は、各広告を一意に識別するための情報であり、携帯情報端末識別情報は、各携帯情報端末を他の携帯情報端末から識別するための情報であり、外部表示装置識別情報は、各外部表示装置を他の外部表示装置から識別するための情報である。
【００６２】
以上に説明した例では、携帯情報端末１０は、広告配信サーバ２０に、テレビ３０に表示させた広告の表示の結果（または表示の状況）等に関する以下のような情報を送信するとした。すなわち、広告を、どのような画面サイズの外部表示装置に（テレビ３０の画面サイズ）、どのくらいの期間表示させたか、また、上記広告を表示させた際、該外部表示装置（テレビ３０）にはどの番組（チャンネル）が、該広告と一緒に表示されていたか、といった情報を、携帯情報端末１０は、広告配信サーバ２０に、送信する。従って、広告配信サーバ２０には、広告ごとに、どのような画面サイズの画面に、どの程度の期間、どのような情報と一緒に広告が表示されたのか（チャンネル番号）という、表示結果情報が蓄積される。従って、これらの情報に基づいて、該広告の広告効果を分析することが可能となる。
【００６３】
ただし、表示結果情報１７２のデータ構造は上に説明したデータ構造に限られるものではなく、携帯情報端末１０がテレビ３０に広告を表示させたか否かが、少なくとも、分かるものであればよい。例えば、携帯情報端末１０がテレビ３０に広告を表示させた場合には、該広告の広告識別番号のみを、表示結果情報１７２として、広告配信サーバ２０に送信するとしてもよい。この場合であっても、少なくとも、上記広告識別番号の広告が外部表示装置（テレビ３０）に表示されたことは、分かるからである。また、例えば、広告を表示させたテレビ３０の端末識別番号と、該広告の広告識別番号との組合せを、表示結果情報１７２として、広告配信サーバ２０に送信するとしてもよい。この場合、どの広告が、どの外部表示装置に表示されたかまで、管理することができる。
【００６４】
図４は、広告配信サーバ２０に蓄積される、広告ごとの表示結果の一覧情報（表示結果一覧情報）のデータ構造および具体例を示す図である。図４の表示結果一覧情報の１行目は、広告識別情報が「Ａｄ１」（携帯情報端末用広告の広告識別情報は「Ａｄ１ｍ」、外部表示装置用広告の広告識別情報は「Ａｄ１ｔ」）である広告について、携帯情報端末１０が広告配信サーバ２０に送信した表示結果情報であり、図３の表示結果情報の１行目と同じである。
【００６５】
図４の表示結果一覧情報の２行目は、１行目のデータの広告識別情報と同じ、広告識別情報が「Ａｄ１」である広告について、識別情報が「Ｓｍ７８９」である、携帯情報端末１０とは別の携帯情報端末から取得した、以下の表示結果を示している。すなわち、広告識別情報が「Ａｄ１」（正確には「Ａｄ１ｍ」）である広告は、２０１３年５月３日１３時４７分５１秒から１３時５７分２３秒までの間、識別情報が「Ｓｍ７８９」である携帯情報端末の表示部に表示された。識別情報が「Ｓｍ７８９」である携帯情報端末の画面サイズは「１０インチ」である。広告識別情報が「Ａｄ１」（正確には「Ａｄ１ｔ」）である広告は、識別情報が「Ｓｍ７８９」である携帯情報端末によって、識別情報が「Ｔｖ９７５」である、テレビ３０とは別のテレビに、送信され、以下の期間、識別情報が「Ｔｖ９７５」であるテレビに表示された。すなわち、広告識別情報が「Ａｄ１」（正確には「Ａｄ１ｔ」）である広告は、２０１３年５月３日１３時５２分３７秒から１３時５５分１３秒までの間、識別情報が「Ｔｖ９７５」であるテレビに表示された。識別情報が「Ｔｖ９７５」であるテレビの画面サイズは「２８インチ」であり、広告識別情報が「Ａｄ１」である広告を表示させている間、識別情報が「Ｔｖ９７５」であるテレビにおいて、チャンネル番号が「１０」のチャンネルが選択されていた。
【００６６】
なお、広告配信サーバ２０に蓄積される、広告ごとの表示結果の一覧情報（表示結果一覧情報）のデータ構造は、上記に説明したデータ構造に限られるものではなく、携帯情報端末１０が広告配信サーバ２０に送信する表示結果情報１７２のデータ構造に応じて、様々に変更することができる。すなわち、例えば、携帯情報端末１０がテレビ３０に表示させた広告の広告識別番号のみが、受信日時に沿って蓄積されていてもよいし、また、広告を表示させたテレビ３０の端末識別番号と、該広告の広告識別番号との組合せが、受信日時に沿って蓄積されていてもよい。
【００６７】
以上のように、携帯情報端末１０は、広告配信サーバ２０から取得した広告を表示する表示部１６０を備えたコンテンツ再生装置であって、表示部１６０に表示した携帯情報端末用広告（第１の広告）あるいは携帯情報端末用広告告に対応する外部表示装置用広告（第２の広告）をテレビ３０に送信し、テレビ３０に表示させる第２表示制御部１１５（外部表示制御手段）と、第２表示制御部１１５によってテレビ３０に携帯情報端末用広告告あるいは外部表示装置用広告が表示されたとき、テレビ３０に上記携帯情報端末用広告告あるいは上記外部表示装置用広告を表示した旨を示す表示結果情報１７２を、広告配信サーバ２０に送信する送信部１１６（表示結果情報送信手段）と、を備える。
【００６８】
従って、携帯情報端末１０は、自装置において広告を表示することができ、さらに、自装置において表示した携帯情報端末用広告、あるいは携帯情報端末用広告に対応する外部表示装置用広告の、テレビ３０における表示状況を、つまり、テレビ３０に、携帯情報端末用広告、あるいは外部表示装置用広告を表示させたことを広告配信サーバ２０に送信し、広告配信サーバ２０に管理させることができる。
【００６９】
なお、携帯情報端末１０の有する、上記の広告送信機能（広告配信サーバ２０から取得した広告をテレビ３０に送信する機能）および表示結果送信機能（テレビ３０等における該広告の表示結果を広告配信サーバ２０に送信する機能）以外の機能の一例についても、概要を以下に説明しておく。
【００７０】
（携帯情報端末のその他の機能の一例）
詳細は後述するが、携帯情報端末１０は、図示しないサーバ装置から放送チャンネルを選局するための指標情報を取得し、取得された指標情報に基づいて、選局可能な複数の放送チャンネルについて、指標を各放送チャンネルに関連付けて、表示部１６０に表示する。該機能を実施した携帯情報端末１０の表示部１６０に表示される画面については、図５を用いて後述する。
【００７１】
「放送チャンネルを選局するための指標情報」とは、各放送チャンネルにおいて現在放送中の各テレビ番組の視聴に関する指標を示す情報であり、各テレビ番組の盛上りの度合いを、前記予め定める時間ごとに数値化して表した情報のことである。具体的には、具体的には、たとえば、ｔｗｉｔｔｅｒ（登録商標）などのミニブログサービスにおいて、現在放送中の各テレビ番組に関して投稿されているミニブログの数（以下、「投稿数」と称する）に基づいて算出される。
【００７２】
また、携帯情報端末１０は、上述のように、テレビ３０の操作機能を有するので、テレビ３０に付属の専用リモコンに持ち替えなくても、放送チャンネルを選局することができる。
【００７３】
従って、携帯情報端末１０は、放送チャンネルを選局するための指標をユーザに与えるとともに、テレビ３０に付属の専用リモコンに持ち替えなくても、放送チャンネルを選局することができる携帯情報端末である。
【００７４】
携帯情報端末１０はさらに、記憶部１７０に、図示しない選局操作履歴情報を記憶してもよい。選局操作履歴情報は、携帯情報端末１０を用いた選局操作の履歴情報であり、例えば、以下の情報を含んでいてもよい。すなわち、携帯情報端末１０に割り当てられているユーザ識別情報と、携帯情報端末１０を用いて選局操作が行われた日時、およびその選局操作によって選局された放送チャンネルのチャンネル番号が、選局操作履歴情報として、記憶部１７０に記憶されてもよい。
【００７５】
上述のように、携帯情報端末１０は、テレビ３０に広告を送信し、該広告をテレビ３０に表示させると、該広告をテレビ３０に表示させた旨を含む表示結果情報１７２を広告配信サーバ２０に送信する。携帯情報端末１０が広告配信サーバ２０に送信する表示結果情報１７２は、携帯情報端末１０が、どのような画面サイズの画面に、その程度の期間、どのような情報と一緒に、広告を表示させたかを含むものであってもよい。
【００７６】
選局操作履歴に基づいてユーザの嗜好を推定し、ユーザの嗜好と上記表示結果情報１７２とに基づいて、広告効果の向上に向けた研究を進めるとともに、ユーザの嗜好により合致した広告を、ユーザに提供することができるようになる。
【００７７】
（携帯情報端末の表示画面）
図５は、携帯情報端末１０の画面例を、つまり表示部１６０に表示される情報の一例を示す図である。図５に示される画面例は、携帯情報端末１０とテレビ３０とが連携しており、かつ、携帯情報端末１０は携帯情報端末用広告を、テレビ３０は、携帯情報端末１０から受信した外部表示装置用広告を表示している際の、表示部１６０に表示される画面の例である。なお、詳細は後述するが、表示部１６０に表示される画面は、この図５に例示する画面例に限られるものではない。例えば、図８および図１０の（ａ）と（ｂ）とには、携帯情報端末１０とテレビ３０とが連携中（または連携可能な状態）であり、かつ広告が表示部１６０に表示されていない状況において、表示部１６０に表示される画面の例が示されている。
【００７８】
図５に示すように、表示部１６０は、広告が表示される上部領域１６０ａと、広告以外の携帯情報端末１０の保有するデータが表示される中央領域１６０ｂとを含む。中央領域１６０ｂはさらに、中央左領域１６０ｂ１、中央右上領域１６０ｂ２および中央右下領域１６０ｂ３の３つの領域を含む。
【００７９】
上部領域１６０ａは、広告配信サーバ２０から受信し、記憶部１７０に格納された広告が表示される広告表示領域である。具体的には、第１表示制御部１１２が記憶部１７０に格納されている広告データ１７１の中から取得した広告が、第１表示制御部１１２によって、上部領域１６０ａに表示される。
【００８０】
中央左領域１６０ｂ１は、選局用タッチエリアである。具体的には、中央左領域１６０ｂ１には、画面の縦方向に沿って、チャンネルスロットごとに、チャンネルアイコンとともに指標アイコンが表示される。チャンネルアイコンへのユーザによるタッチ入力が入力受付部１１３によって検出されると、状態管理部１１４は、タッチ入力されたチャンネルアイコンに対応する放送チャンネルを選局するためのコマンド信号を生成し、第２通信部１３０を介して、該コマンド信号をテレビ３０に送信する。上記コマンド信号を受信したテレビ３０は、タッチ入力された中央左領域１６０ｂ１のチャンネルアイコンに対応する放送チャンネルの番組を表示する。なお、図では示していないが、中央左領域１６０ｂ１には、音量調整用アイコン等、チャンネルの選局以外の、テレビ３０に対するユーザ操作を受け付けるアイコンがさらに表示されてもよい。ユーザは、これらの、音量調整用アイコン等のテレビ３０に対する操作用アイコンにタッチすることによって、テレビ３０を操作することができ、つまり、携帯情報端末１０を、テレビ３０に付属の専用リモコンと同様に用いて、テレビ３０を操作することができる。
【００８１】
また、中央左領域１６０ｂ１において、ユーザによって選局された「ヤポンテレビ」に対応するチャンネルスロットのチャンネルアイコンにのみ、選局されたことを識別するための選局アイコンが重ねて表示される。図に即して言えば、「ヤポンテレビ」に対応するチャンネルアイコン「４」にのみ、選局アイコン「Ｏｎ」が重ねて表示されている。
【００８２】
なお、中央左領域１６０ｂ１においてチャンネルアイコンごとに表示される指標アイコンは、各放送チャンネルにおいて現在放送中の各テレビ番組の盛上りの度合いを、所定の時間ごとに数値化して示すものである。指標アイコンは、例えば図に示すように、棒グラフ形式によって、各テレビ番組に関して投稿されているミニブログの数を示してもよい。ユーザは、指標アイコンを確認することによって、各テレビ番組の盛上りの度合いを知ることができ、放送チャンネルを選局するための指標を得ることができる。
【００８３】
中央右上領域１６０ｂ２には、タッチ入力によって選択された放送局名、その放送局において現在放送中のテレビ番組の番組タイトルが表示される。具体的には、テレビ３０には現在、「ヤポンテレビ」（４チャンネル）で放送中の「野球『巨神Ｖｓ広日』」が表示されていることが、中央右上領域１６０ｂ２に示されている。
【００８４】
中央右下領域１６０ｂ３には、タッチ入力によって選択された放送局（ヤポンテレビ）において現在放送中のテレビ番組（野球「巨神Ｖｓ広日」）に関するミニブログ（たとえば、ｔｗｉｔｔｅｒ（登録商標）など）の内容、そのミニブログを投稿した投稿者のユーザ名、およびそのミニブログが投稿された日時等が表示される。
【００８５】
中央左領域１６０ｂ１のチャンネルアイコンに対してタッチ入力が行われたことを入力受付部１１３が検出すると、状態管理部１１４は、赤外線通信およびＩＥＥＥ８０２．１１による無線通信のいずれの方法で無線信号を送信するように設定されているかを判定し、タッチ入力されたチャンネルアイコンに対応する放送チャンネルを選局するためのコマンド信号を生成する。そして、生成したコマンド信号を含む無線信号を、第２通信部１３０を介してテレビ３０に送信する。第２通信部１３０から出力された無線信号がテレビ３０に受信されると、テレビ３０では、ユーザによるタッチ入力によって選局された放送チャンネルで放送中のテレビ番組が表示される。
【００８６】
なお、以上に説明した、表示部１６０に表示される画面の内、広告以外の部分は、第１表示制御部１１２が、記憶部１７０に格納されているテレビ制御用アプリ１７３に基づいて、表示部１６０に表示させる。
【００８７】
このように、ユーザは、表示部１６０に表示される各テレビ番組の指標アイコンを確認しながら、表示部１６０に表示される選局用タッチエリアに対してタッチ入力することによって、所望の放送チャンネルを選局することができる。すなわち、ユーザは、携帯情報端末１０を所持するだけで、各テレビ番組の盛上りの度合いを確認しつつ、所望の放送チャンネルを選局することができる。したがって、選局操作のために携帯情報端末１０からテレビ３０に付属の専用リモコンに持ち替えるという煩わしい動作を省略することができる。
【００８８】
図５に示した携帯情報端末１０の画面例は、あくまでも表示部１６０に表示される画面の一例であり、表示部１６０は、図５に示す画面例以外の画面を表示することもできる。例えば、図８および図１０の（ａ）と（ｂ）とには、連携ボタンアイコンと、チャンネルアイコン（１〜９）と、ツイート表示アイコンとを表示している表示部１６０が示されている。図８および図１０の（ａ）と（ｂ）とにおいて示されている画面例は、携帯情報端末１０とテレビ３０とが連携中（または連携可能な状態）であって、携帯情報端末１０はテレビ３０に対するリモコン機能を起動させてはいるが、表示部１６０において広告を表示してはいない状態の、携帯情報端末１０の表示部１６０に表示される画面の例である。詳細は後述するが、連携ボタンアイコンは、携帯情報端末１０とテレビ３０とが連携していない状態で押下されることにより、携帯情報端末１０とテレビ３０とを連携させる機能を有する。また、チャンネルアイコン（１〜９）は、図５を用いて既に説明したので省略する。ツイート表示アイコンは、携帯情報端末１０とテレビ３０とが連携している状態で押下されることにより、携帯情報端末１０の表示部１６０に図５に例示した画面を表示させる。また、ツイート表示アイコンを押下すると、携帯情報端末１０からテレビ３０に広告Ａｄ１ｔ等の情報が送信され、表示部１６０に表示されている内容の内、携帯情報端末用広告Ａｄ１ｍの表示されている部分が外部表示装置用広告Ａｄ１ｔの内容に差し替えられ、他の部分は表示部１６０に表示されている内容と同じ内容の画面が、テレビ３０に表示される。すなわち、図８および図１０の（ａ）と（ｂ）と示す画面例において、ツイート表示ボタンが押下されると、携帯情報端末１０の表示部１６０に、図５に例示する画面が表示される。
【００８９】
以上に説明した、表示部１６０に表示される、図８および図１０の（ａ）と（ｂ）とに例示される画面は、第１表示制御部１１２が、記憶部１７０に格納されているテレビ制御用アプリ１７３に基づいて、表示部１６０に表示させる。
【００９０】
（携帯情報端末に表示される広告と外部表示装置に表示される広告との対比）
図６は、携帯情報端末１０に表示される広告と、テレビ３０に表示される広告とを対比して示す図である。
【００９１】
図６に示すように、テレビ３０の画面は、携帯情報端末１０から受信したデータが表示される画面右側の部分（３０ａと３０ｂ）と、携帯情報端末１０以外から取得したデータが表示される画面左側の部分（３０ｃ）とを含む。
【００９２】
テレビ３０の３０ａには、「新刊書籍（△△△出版）のご案内！『ＸＸＸ先生のバットコントロール入門Ｖｏｌ．３』  前回のＶｏｌ．２に引き続き、走者がいる時のバットコントロールについて秘伝を公開！！  ○○選手のインタビューも収録。」という広告が表示されている。
【００９３】
一方、携帯情報端末１０の表示部１６０（特に１６０ａ）に表示される広告は、「新刊書籍：『ＸＸＸ先生のバットコントロール入門Ｖｏｌ．３』」である。
【００９４】
つまり、テレビ３０には、携帯情報端末１０の表示部１６０に表示される広告に係る商品・サービスについて、より詳細な情報を含む広告が表示される。
【００９５】
テレビ３０の３０ｂに表示されている内容は、携帯情報端末１０の１６０ｂに表示されているのと同じである。携帯情報端末１０の１６０ｂに表示されている内容については、図５を用いて既に説明したので、省略する。
【００９６】
テレビ３０の３０ｃには、放送局から放送されるテレビ番組、具体的には、４チャンネル（ヤポンテレビ）で放映中の「野球『巨神Ｖｓ広日』」が表示されている。
【００９７】
なお、上記の例では、携帯情報端末１０に表示される広告と、携帯情報端末１０からテレビ３０に送信され、テレビ３０において表示される広告とは異なるものとして説明を行ってきた。しかし、上述のように、携帯情報端末１０に表示される広告とテレビ３０に表示される広告とが異なっていることは必須ではなく、同じ内容の広告が、携帯情報端末１０とテレビ３０とに表示されてもよい。
【００９８】
次に、広告システム１における、携帯情報端末１０、広告配信サーバ２０、およびテレビ３０の処理の流れの概要について説明する。
【００９９】
（処理の概要）
図７は、広告システム１における、携帯情報端末１０とテレビ３０と広告配信サーバ２０との処理の流れを示すフローチャートである。
【０１００】
まず、広告取得部１１１は、第１通信部１２０を介して、広告配信サーバ２０から広告を取得する（Ｓ１１）。具体的には、広告取得部１１１は、第１通信部１２０を介して、広告配信サーバ２０に広告をリクエストする。広告取得部１１１からの広告のリクエストを受信すると、広告配信サーバ２０は、携帯情報端末１０に広告を配信（送信）する（Ｓ２１）。なお、広告配信サーバ２０が携帯情報端末１０に送信する広告は、１つの広告（例えば、各広告を他の広告から識別するための広告識情報が「Ａｄ１」である広告）につき、携帯情報端末用広告Ａｄ１ｍと、外部表示装置用広告Ａｄ１ｔとを含む。広告取得部１１１は、第１通信部１２０を介して、広告配信サーバ２０から送信された広告を、つまりＡｄ１ｍとＡｄ１ｔとを受信し、記憶部１７０に広告データ１７１として格納する。
【０１０１】
次に、状態管理部１１４は、テレビ３０（外部表示装置）と連携しているか、つまり、テレビ３０の画面に携帯情報端末１０から送信されたデータが表示されている状態か、を判定する（Ｓ１２）。具体的には、状態管理部１１４は、第２通信部１３０を介して、テレビ３０に、携帯情報端末１０と連携しているかを問い合わせ、つまり、テレビ３０の画面に携帯情報端末１０から送信されたデータが表示されている状態か、を問い合わせる。テレビ３０は、携帯情報端末１０と連携しているか、の回答を送信する（Ｓ３１）。なお、テレビ３０は、携帯情報端末１０と連携している場合には、携帯情報端末１０に、自装置（テレビ３０）の識別情報（テレビ３０を他の表示装置から識別するための情報）を送信してもよい。状態管理部１１４は、テレビ３０から、携帯情報端末１０とテレビ３０とが連携しているかについての回答を受信する。なお、上記のように、携帯情報端末１０とテレビ３０とが連携している場合には、状態管理部１１４は、テレビ３０の識別情報も、テレビ３０から受信する。
【０１０２】
テレビ３０からの上記回答に基づき、状態管理部１１４は、携帯情報端末１０とテレビ３０とは連携していると判定すると（Ｓ１２でＹｅｓ）、この判定結果を第２表示制御部１１５に通知する。
【０１０３】
第２表示制御部１１５は、状態管理部１１４からの上記判定結果を受信すると、外部表示装置用広告Ａｄ１ｔを記憶部１７０（特に広告データ１７１）から取得し、Ａｄ１ｔを、第２通信部１３０を介して、テレビ３０に送信する（Ｓ１３）。テレビ３０は、携帯情報端末１０（第２表示制御部１１５）から送信された外部表示装置用広告Ａｄ１ｔを受信し（Ｓ３２）、Ａｄ１ｔを、自装置（テレビ３０）の、外部表示装置用広告のための表示枠（例えば、図６の３０ａ）に表示する（Ｓ３３）。
【０１０４】
その後、携帯情報端末１０は、自端末において、つまり表示部１６０に、携帯情報端末用広告Ａｄ１ｍを表示する（Ｓ１４）。具体的には、第１表示制御部１１２は、携帯情報端末用広告Ａｄ１ｍを記憶部１７０（特に広告データ１７１）から取得し、Ａｄ１ｍを、表示部１６０に表示する。
【０１０５】
そして、携帯情報端末１０は、自端末（表示部１６０）に加え、テレビ３０に広告を表示させたという表示結果を、記憶部１７０に表示結果情報１７２として格納する（Ｓ１５）。つまり、第２表示制御部１１５は、テレビ３０にＡｄ１ｔを送信し、Ａｄ１ｔをテレビ３０に表示させると、「Ａｄ１ｔをテレビ３０に表示させた」旨を、表示結果情報１７２として格納する。例えば、図３に例示する表示結果情報１７２に即して言えば、第２表示制御部１１５は、「外部表示装置広告識別情報」の列に、テレビ３０に表示させた広告の広告識別情報を、つまり「Ａｄ１ｔ」を格納する。または、テレビ３０と通信し、携帯情報端末１０とテレビ３０との連携状態を判定する状態管理部１１４が、携帯情報端末１０とテレビ３０とが連携していると判定する場合には、テレビ３０を一意に特定するための識別番号（外部表示装置識別情報）をテレビ３０から取得し、該識別番号を表示結果情報１７２の「外部表示装置識別情報」の列に格納してもよい。第２表示制御部１１５によって、テレビ３０にＡｄ１ｔが送信され、Ａｄ１ｔがテレビ３０に表示された場合には、携帯情報端末１０によってテレビ３０に該広告が表示された旨の情報を含む表示結果情報１７２が、記憶部１７０に格納されればよい。また、第１表示制御部１１２は、携帯情報端末用広告Ａｄ１ｍを表示した表示部１６０の画面サイズと、表示部１６０にＡｄ１ｍを表示した期間とを格納する。
【０１０６】
送信部１１６は、記憶部１７０に格納された表示結果情報１７２（「Ａｄ１ｔをテレビ３０に表示させた」旨が、少なくとも含まれる情報）を、第１通信部１２０を介して、広告配信サーバ２０に送信する（Ｓ１６）。
【０１０７】
広告配信サーバ２０は、携帯情報端末１０（具体的には送信部１１６）から送信された、表示結果情報１７２を受信する（Ｓ２２）。そして、広告配信サーバ２０において、例えば、図３に例示する表示結果情報１７２に即して言えば、「外部表示装置識別情報」の列に格納されている「Ａｄ１ｔ」によって、携帯情報端末１０が「Ａｄ１ｔをテレビ３０に表示させた」旨が把握される。
【０１０８】
テレビ３０からの、携帯情報端末１０とテレビ３０とが連携しているかについての回答に基づいて、状態管理部１１４が、携帯情報端末１０とテレビ３０とは連携していないと判定すると（Ｓ１２でＮｏ）、携帯情報端末１０は、自端末において、つまり表示部１６０に、携帯情報端末用広告Ａｄ１ｍを表示する（Ｓ１７）。具体的には、第１表示制御部１１２は、携帯情報端末用広告Ａｄ１ｍを記憶部１７０（特に広告データ１７１）から取得し、Ａｄ１ｍを、表示部１６０に表示する。そして、第１表示制御部１１２は、自端末において広告を表示したという表示結果を、具体的には、表示部１６０の画面サイズと、表示部１６０にＡｄ１ｍを表示した期間とを、記憶部１７０に表示結果情報１７２として格納する（Ｓ１８）。なお、図３に例示する表示結果情報１７２に即して言えば、Ｓ１２でＮｏの場合、第２表示制御部１１５および状態管理部１１４は、「外部表示装置広告識別情報」および「外部表示装置識別情報」の列に何も格納しない。送信部１１６は、記憶部１７０に格納された表示結果情報１７２（具体的には、表示部１６０の画面サイズ、および表示部１６０にＡｄ１ｍを表示した期間）を、第１通信部１２０を介して、広告配信サーバ２０に送信する（Ｓ１６）。
【０１０９】
広告配信サーバ２０は、携帯情報端末１０（具体的には送信部１１６）から送信された、広告の表示結果を受信する（Ｓ２２）。つまり、「携帯情報端末広告識別情報」が「Ａｄ１ｍ」の行について、「外部表示装置広告識別情報」および「外部表示装置識別情報」の列が格納されていない表示結果情報１７２を受信する。そして、広告配信サーバ２０において、例えば図３に例示する表示結果情報１７２に即して言えば、「携帯情報端末広告識別情報」が「Ａｄ１ｍ」である広告について、「外部表示装置広告識別情報」および「外部表示装置識別情報」の列に何も格納されていないことによって、携帯情報端末１０は「テレビ３０に広告を表示させていない」旨が把握される。また、携帯情報端末用広告Ａｄ１ｍを表示した表示部１６０の画面サイズと、表示部１６０にＡｄ１ｍを表示した期間とが把握される。
【０１１０】
なお、表示結果情報１７２の内容は上で説明したものに限られるものではない。第２表示制御部１１５によって広告がテレビ３０に送信され、テレビ３０に該広告が表示された場合、携帯情報端末１０によってテレビ３０に該広告が表示された旨の情報を含む表示結果情報１７２が、記憶部１７０に格納されればよい。
【０１１１】
（携帯情報端末と外部表示装置とにおける画面遷移図）
図８は、図７の処理の流れに従う携帯情報端末１０およびテレビ３０の画面遷移図である。
【０１１２】
携帯情報端末１０とテレビ３０とが連携していない、つまり、携帯情報端末１０の表示部１６０に表示される内容をテレビ３０は表示しておらず、テレビ３０は、例えば、放送局から放送されるテレビ番組のみを表示している状態が、図８の（ａ）に示されている。この状態において、携帯情報端末１０の表示部１６０には、連携ボタンアイコンと、チャンネルアイコン（１〜９）と、ツイート表示アイコンとを表示している表示部１６０が示されている。一方、テレビ３０の画面には、ヤポンテレビ（４チャンネル）で放映中の番組が表示されており、表示部１６０に表示されている内容は表示されていない。
【０１１３】
携帯情報端末１０とテレビ３０とが連携していない状態、つまり図８の（ａ）に示す状態において、携帯情報端末１０の表示部１６０に表示されている連携ボタンをユーザが押下すると、携帯情報端末１０とテレビ３０とは、以下のようにして連携する。すなわち、連携ボタンへの押下が入力受付部１１３によって検出されると、まず、状態管理部１１４は携帯情報端末１０とテレビ３０との通信状態を判定する。状態管理部１１４によって携帯情報端末１０とテレビ３０とが通信可能な状態であると判定されると、第２表示制御部１１５は、第２通信部１３０を介して、表示部１６０に現在表示されている画面を、テレビ３０に送信する。その結果、図８の（ｂ）に示すように、携帯情報端末１０の表示部１６０に表示されている画面と同じ画面が、テレビ３０にも表示され、つまり、携帯情報端末１０とテレビ３０とが連携する。なお、図８の（ｂ）において、テレビ３０は、携帯情報端末１０の表示部１６０に表示されている画面と同じ画面を右側に、携帯情報端末１０以外から取得したコンテンツを、つまり、ヤポンテレビ（４チャンネル）で放映中の番組を左側に表示している。
【０１１４】
携帯情報端末１０とテレビ３０とが連携している状態で、携帯情報端末１０の表示部１６０に表示されているツイート表示ボタンをユーザがタッチすると、携帯情報端末１０は、以下の２つの処理を実行する。
【０１１５】
すなわち、ユーザがツイート表示ボタンを押下すると、携帯情報端末１０は、まず、広告（より正確には携帯情報端末用広告Ａｄ１ｍ）を表示部１６０にする。具体的には、ツイート表示ボタンへの押下が入力受付部１１３によって検出されると、第１表示制御部１１２は、記憶部１７０に広告データ１７１から、携帯情報端末用広告Ａｄ１ｍを取得する。また第１表示制御部１１２は、図５に例示した、広告以外のコンテンツを、テレビ制御用アプリ１７３から取得する。そして、第１表示制御部１１２は、図５に例示するような、携帯情報端末用広告Ａｄ１ｍと広告以外のコンテンツとを含む画面を、表示部１６０に表示する。
【０１１６】
ユーザがツイート表示ボタンを押下すると、携帯情報端末１０はさらに、テレビ３０に広告（より正確には外部表示装置用広告Ａｄ１ｔ）を送信し、Ａｄ１ｔがテレビ３０に表示される。具体的には、ツイート表示ボタンへの押下が入力受付部１１３によって検出されると、状態管理部１１４は、携帯情報端末１０とテレビ３０との連携を、つまり、携帯情報端末１０の表示部１６０に表示されている画面がテレビ３０にも表示されているかを判定する。状態管理部１１４は、携帯情報端末１０とテレビ３０とが連携していると判定すると、該判定の結果を、第２表示制御部１１５に通知する。状態管理部１１４から、上記判定の結果を通知されると、第２表示制御部１１５は、表示部１６０に表示されている画面の内、広告以外の部分を、記憶部１７０のテレビ制御用アプリ１７３から取得する。また、第２表示制御部１１５は、表示部１６０に表示されている広告（具体的には携帯情報端末用広告Ａｄ１ｍ）に対応する外部表示装置用広告Ａｄ１ｔを、広告データ１７１から取得する。そして、第２表示制御部１１５は、表示部１６０に表示されている画面であって広告以外の部分と、外部表示装置用広告Ａｄ１ｔとによって、以下のデータ（画像）を生成し、これを、第２通信部１３０を介してテレビ３０に送信する。すなわち、第２表示制御部１１５は、表示部１６０に表示されている画像の内、Ａｄ１ｍの表示されている部分がＡｄ１ｔの内容に差し替えられ、他の部分は表示部１６０に表示されているのと同じ内容のデータ（画像）を生成し、これを、テレビ３０に送信する。
【０１１７】
図８の（ｃ）には、携帯情報端末１０が上記の処理を行うことによって、表示部１６０に携帯情報端末用広告Ａｄ１ｍを表示し、テレビ３０に外部表示装置用広告Ａｄ１ｔを表示させている状況が示されている。すなわち、「ツイート表示ボタン」が押下されることによって、携帯情報端末１０は、テレビ３０の画面に、外部表示装置用広告の表示枠を設定し、該外部表示装置用広告の表示枠に、携帯情報端末１０から送信した広告を表示させる。携帯情報端末１０はまた、表示部１６０に、携帯情報端末用広告の表示枠を設定し、該携帯情報端末用広告の表示枠に広告を表示させる。
【０１１８】
（広告内容について）
上述のように、広告取得部１１１が広告配信サーバ２０から受信し、記憶部１７０に格納した広告は、表示部１６０（特に、広告表示領域である上部領域１６０ａ）に表示される。
【０１１９】
ここで、表示部１６０に表示される広告は、以下のようなものであることが好ましい。すなわち、例えば、テレビ３０で現在表示されている商品・店舗に関する広告、テレビ３０で現在表示されているテレビ番組に関連する商品（たとえば、テレビ番組がドラマ・映画の場合には、原作本・サウンドトラックなど）に関する広告、およびテレビ番組において出演者が身に着けていた商品に関する広告であることが好ましい。また、表示部１６０に表示される広告の広告主と、テレビ３０で現在表示されているテレビ番組に含まれるテレビコマーシャルの広告主とが同一であり、当該広告の広告対象（商品・サービス）と当該テレビコマーシャルの広告対象とが同一または類似し、当該広告の広告対象が当該テレビ番組の内容から想起可能である（当該テレビ番組の内容が当該広告の広告対象に関連している）ように、広告とテレビ番組とが対応付けられていることが好ましい。
【０１２０】
広告配信サーバ２０から携帯情報端末１０によって取得された広告は、上記のように、携帯情報端末１０の表示部１６０に表示されるだけでなく、テレビ３０においても表示される。つまり、表示部１６０に表示される広告は、テレビ３０に表示される広告でもある。従って、表示部１６０に表示される広告は、テレビ３０において、該広告と一緒に表示される、携帯情報端末１０以外から取得されたコンテンツ（例えば、テレビ３０が放送波を受信して表示しているテレビ番組）と対応付けられていることが好ましい。表示部１６０に表示される広告と、テレビ３０において、該広告と一緒に表示されるテレビ番組とが対応付けられていることによって、該広告の広告効果が向上する。
【０１２１】
図６に示すでは、テレビ３０に表示されている「野球」に関連する、新刊書籍（「ＸＸＸ先生のバットコントロール入門Ｖｏｌ．３」）の広告が、携帯情報端末１０の表示部１６０およびテレビ３０に表示されている。
【０１２２】
また、表示部１６０に表示される広告は、携帯情報端末１０のユーザの特性に基づいて選択されてもよい。すなわち、携帯情報端末１０の有する情報であって、携帯情報端末１０のユーザの特性を推定することができる情報として利用可能な情報に基づいて、広告配信サーバ２０から取得した広告のうち、ユーザの特性に対応する広告を、表示部１６０に表示してもよい。例えば、ウェブブラウザ１７４から、携帯情報端末１０のユーザのウェブ閲覧履歴を取得し、利用することができる場合には、該閲覧履歴に基づいて、該ユーザが関心を持っている可能性の高い商品・サービスに係る広告を、表示部１６０に表示させることができる。
【０１２３】
さらに、表示部１６０に表示される広告は、携帯情報端末１０によるテレビ３０に対する操作履歴、つまり、放送局・番組名・ジャンル等に係る携帯情報端末１０のユーザの嗜好に基づいて選択されてもよい。
【０１２４】
なお、携帯情報端末１０がテレビ３０に表示させる広告については、以下の２つのいずれであってもよい。すなわち、テレビ３０の画面（より正確には、携帯情報端末１０がテレビ３０に送信し、テレビ３０に表示させるコンテンツが表示される領域）に表示される広告の表示画面自体を携帯情報端末１０において作成し、携帯情報端末１０は該表示画面をテレビ３０に転送して、テレビ３０に表示させてもよい。つまり、図２の例に即して言えば、テレビ３０の画面の右側の、広告Ａｄ１ｔとアプリＡｐ１とが表示される領域自体を携帯情報端末１０において作成し、該領域をテレビ３０に転送して、テレビ３０に表示させてもよい。また、携帯情報端末１０からテレビ３０に広告データを送信し、該広告データをテレビ３０が受信して、テレビ３０が該広告データを処理して、テレビ３０が、該広告を画面に表示してもよい。
【０１２５】
〔実施形態２〕
本実施の形態における携帯情報端末１０の処理の概要を説明しておけば、以下の通りである。すなわち、携帯情報端末１０は広告配信サーバ２０から、１つの広告（例えば、各広告を他の広告から識別するための広告識情報が「Ａｄ１」である広告）につき、複数の外部表示装置用広告（Ａｄ１ｔ１およびＡｄ１ｔ２）を取得する。そして、携帯情報端末１０は、テレビ３０に表示させる広告（Ａｄ１ｔ１またはＡｄ１ｔ２）をユーザに選択させる画面を、表示部１６０に表示する。テレビ３０に表示させる広告について、ユーザによる選択を検知すると、携帯情報端末１０は、選択された広告をテレビ３０に送信し、テレビ３０に選択された広告を表示させる。また、携帯情報端末１０は、テレビ３０に表示させる広告について、どの広告がユーザに選択され、テレビ３０に表示されたかを含む表示結果情報１７２を、広告配信サーバ２０に送信する。
【０１２６】
すなわち、本実施の形態において、第２表示制御部１１５（広告選択手段）は、ユーザの操作に従って、Ａｄ１ｔ１またはＡｄ１ｔ２を選択し、テレビ３０に送信し、テレビ３０に表示させる。以下に、本実施の形態における携帯情報端末１０（特に、第２表示制御部１１５）の処理の詳細を説明する。
【０１２７】
（処理の概要）
図９は、広告システム１における携帯情報端末１０とテレビ３０と広告配信サーバ２０との、図７とは別の処理の流れを示すフローチャートである。
【０１２８】
まず、広告取得部１１１は、第１通信部１２０を介して、広告配信サーバ２０から、１つの広告（例えば、各広告を他の広告から識別するための広告識情報が「Ａｄ１」である広告）につき、携帯情報端末用広告Ａｄ１ｍと複数の外部表示装置用広告（Ａｄ１ｔ１およびＡｄ１ｔ２）とを取得する（Ｓ１０１）。つまり、広告取得部１１１は、第１通信部１２０を介して、広告配信サーバ２０に、携帯情報端末用広告Ａｄ１ｍと複数の外部表示装置用広告（Ａｄ１ｔ１およびＡｄ１ｔ２）とをリクエストする。広告取得部１１１からの該リクエストを受信した広告配信サーバ２０は、携帯情報端末１０に、携帯情報端末用広告Ａｄ１ｍと複数の外部表示装置用広告（Ａｄ１ｔ１およびＡｄ１ｔ２）とを配信（送信）する（Ｓ１２１）。広告取得部１１１は、第１通信部１２０を介して、広告配信サーバ２０から送信された広告を、つまりＡｄ１ｍと、Ａｄ１ｔ１およびＡｄ１ｔ２とを受信し、記憶部１７０に広告データ１７１として格納する。
【０１２９】
次に、状態管理部１１４は、テレビ３０（外部表示装置）と連携しているか、つまり、テレビ３０の画面に携帯情報端末１０から送信されたデータが表示されている状態か、を判定する（Ｓ１０２）。すなわち、状態管理部１１４は、テレビ３０に、携帯情報端末１０と連携しているかを問い合わせる。
【０１３０】
状態管理部１１４から、テレビ３０と携帯情報端末１０とが連携しているか、つまり、テレビ３０の画面に携帯情報端末１０から送信されたデータが表示されているか、の問い合わせを受信すると、テレビ３０は、携帯情報端末１０と連携しているかの回答を送信する（Ｓ１３１）。なお、上記のように、テレビ３０は、携帯情報端末１０と連携している場合には、携帯情報端末１０に、自装置（テレビ３０）の識別情報を送信してもよい。
【０１３１】
テレビ３０からの上記回答に基づき、携帯情報端末１０とテレビ３０とは連携していると判定すると（Ｓ１０２でＹｅｓ）、状態管理部１１４は、この判定結果を第２表示制御部１１５に通知する。第２表示制御部１１５は、状態管理部１１４からの上記判定結果を受信すると、ユーザにＡｄ１ｔ１またはＡｄ１ｔ２を選択させる画面のデータを、第２通信部１３０を介して、テレビ３０に送信する（Ｓ１０３）。テレビ３０は、携帯情報端末１０（第２表示制御部１１５）から送信された、ユーザにＡｄ１ｔ１またはＡｄ１ｔ２を選択させる画面のデータを受信し（Ｓ１３２）、該画面を、自装置（テレビ３０）の、外部表示装置用広告のための表示枠（例えば、図６の３０ａ）に表示する（Ｓ１３３）。
【０１３２】
その後、携帯情報端末１０は、自端末において、つまり表示部１６０に、ユーザにＡｄ１ｔ１またはＡｄ１ｔ２を選択させる画面を表示させる（Ｓ１０４）。具体的には、第１表示制御部１１２は、ユーザにＡｄ１ｔ１またはＡｄ１ｔ２を選択させる画面を、表示部１６０に表示させる。
【０１３３】
入力受付部１１３が、ユーザによる、Ａｄ１ｔ１またはＡｄ１ｔ２の選択を検出すると（Ｓ１０５でＹｅｓ）、入力受付部１１３は、Ａｄ１ｔ１とＡｄ１ｔ２とのいずれが選択されたかの選択結果を第２表示制御部１１５に通知する。また、入力受付部１１３は、ユーザによってテレビ３０に表示させる広告の選択がなされたという情報を状態管理部１１４に通知する。
【０１３４】
入力受付部１１３から上記情報を通知されると、状態管理部１１４は、テレビ３０（外部表示装置）と連携しているか、つまり、テレビ３０の画面に携帯情報端末１０から送信されたデータが表示されている状態か、再度を判定する（Ｓ１０６）。すなわち、状態管理部１１４は、テレビ３０に、テレビ３０の画面に携帯情報端末１０から送信されたデータが表示されている状態かを問い合わせ、この問い合わせを受信すると、テレビ３０は、携帯情報端末１０と連携しているか、の回答を送信する（Ｓ１３４）。
【０１３５】
テレビ３０からの上記回答に基づき、携帯情報端末１０とテレビ３０とは連携していると判定すると（Ｓ１０６でＹｅｓ）、状態管理部１１４は、この判定結果を第２表示制御部１１５に通知する。第２表示制御部１１５は、入力受付部１１３から通知された、ユー座によって選択された広告（Ａｄ１ｔ１またはＡｄ１ｔ２）を記憶部１７０（特に広告データ１７１）から取得し、該広告を、第２通信部１３０を介してテレビ３０に送信する（Ｓ１０７）。また、ユーザによって選択され、テレビ３０に表示された広告が、Ａｄ１ｔ１とＡｄ１ｔ２とのいずれであったのかを、表示結果情報１７２として記憶部１７０に格納する。
【０１３６】
テレビ３０は、第２表示制御部１１５から送信された広告（Ａｄ１ｔ１またはＡｄ１ｔ２）を受信し（Ｓ１３５）、該広告を表示する（Ｓ１３６）。
【０１３７】
Ｓ１０７の後、第１表示制御部１１２は、記憶部１７０の広告データ１７１から、携帯情報端末用広告Ａｄ１ｍを取得し、Ａｄ１ｍを表示部１６０に表示させる（Ｓ１０８）。
【０１３８】
そして、携帯情報端末１０は、自端末にＡｄ１ｍを表示し、かつ、テレビ３０に、ユーザによって選択された広告（Ａｄ１ｔ１またはＡｄ１ｔ２）を表示させたという表示結果を、記憶部１７０に表示結果情報１７２として格納する（Ｓ１０９）。
【０１３９】
具体的には、第１表示制御部１１２は、携帯情報端末用広告Ａｄ１ｍを表示した表示部１６０の画面サイズと、表示部１６０にＡｄ１ｍを表示した期間とを格納する。
【０１４０】
また、第２表示制御部１１５は、テレビ３０に送信し、テレビ３０に表示させた広告の識別番号（Ａｄ１ｔ１またはＡｄ１ｔ２）を、表示結果情報１７２として格納する。例えば、図３に例示する表示結果情報１７２に即して言えば、第２表示制御部１１５は、「外部表示装置広告識別情報」の列に、テレビ３０に表示させた広告の広告識別情報（Ａｄ１ｔ１またはＡｄ１ｔ２）を格納する。さらに、テレビ３０と通信し、携帯情報端末１０とテレビ３０との連携状態を判定する状態管理部１１４が、携帯情報端末１０とテレビ３０とが連携していると判定する場合には、テレビ３０を一意に特定するための識別番号をテレビ３０から取得し、該識別番号を表示結果情報１７２の「外部表示装置識別情報」の列に格納してもよい。
【０１４１】
表示結果情報１７２の内容はこれに限られず、第２表示制御部１１５によって広告がテレビ３０に送信され、テレビ３０に該広告が表示された場合、携帯情報端末１０によってテレビ３０に該広告が表示された旨の情報を含む表示結果情報１７２が、記憶部１７０に格納されればよい。
【０１４２】
送信部１１６は、記憶部１７０に格納された表示結果情報１７２を、第１通信部１２０を介して、広告配信サーバ２０に送信する（Ｓ１１０）。
【０１４３】
テレビ３０からの、携帯情報端末１０とテレビ３０とが連携しているかについての回答に基づいて、状態管理部１１４が、携帯情報端末１０とテレビ３０とは連携していないと判定すると（Ｓ１０２でＮｏ）、携帯情報端末１０は、自端末において、つまり表示部１６０に、携帯情報端末用広告Ａｄ１ｍを表示する（Ｓ１１１）。具体的には、第１表示制御部１１２は、携帯情報端末用広告Ａｄ１ｍを記憶部１７０（特に広告データ１７１）から取得し、Ａｄ１ｍを、表示部１６０に表示する。
【０１４４】
入力受付部１１３が、ユーザによる、Ａｄ１ｔ１またはＡｄ１ｔ２の選択を検出しなかった（Ｓ１０５でＮｏ）場合も、携帯情報端末１０は、自端末において、つまり表示部１６０に、携帯情報端末用広告Ａｄ１ｍを表示する（Ｓ１１１）。
【０１４５】
また、ユーザによるＡｄ１ｔ１またはＡｄ１ｔ２の選択を検出した（Ｓ１０５でＹｅｓ）が、その後、状態管理部１１４が、携帯情報端末１０とテレビ３０とは連携していないと判定した（Ｓ１０６でＮｏ）場合にも、携帯情報端末１０は、表示部１６０に、携帯情報端末用広告Ａｄ１ｍを表示させる（Ｓ１１１）。
【０１４６】
Ｓ１１１の後、第１表示制御部１１２は、自端末において広告を表示したという表示結果を、具体的には、表示部１６０の画面サイズと、表示部１６０にＡｄ１ｍを表示した期間とを、記憶部１７０に表示結果情報１７２として格納する（Ｓ１１２）。送信部１１６は、記憶部１７０に格納された表示結果情報１７２（具体的には、表示部１６０の画面サイズ、および表示部１６０にＡｄ１ｍを表示した期間）を、第１通信部１２０を介して、広告配信サーバ２０に送信する（Ｓ１１０）。
【０１４７】
広告配信サーバ２０は、携帯情報端末１０（具体的には送信部１１６）から送信された、広告の表示結果を受信する（Ｓ１２２）。
【０１４８】
（携帯情報端末と外部表示装置とにおける画面遷移図）
図１０は、図９の処理の流れに従う携帯情報端末１０およびテレビ３０の画面遷移図である。
【０１４９】
図１０の（ａ）には、携帯情報端末１０とテレビ３０とが連携していない、つまり、携帯情報端末１０の表示部１６０に表示される内容をテレビ３０は表示しておらず、テレビ３０は、放送局から放送されるテレビ番組のみを表示している状態が示されている。この状態において、携帯情報端末１０の表示部１６０には、連携ボタンアイコンと、チャンネルアイコン（１〜９）と、ツイート表示アイコンとを表示している表示部１６０が示されている。一方、テレビ３０の画面には、ヤポンテレビ（４チャンネル）で放映中の番組が表示されており、表示部１６０に表示されている内容は表示されていない。
【０１５０】
携帯情報端末１０とテレビ３０とが連携していない状態、つまり図１０の（ａ）に示す状態において、携帯情報端末１０の表示部１６０に表示されている連携ボタンをユーザが押下すると、携帯情報端末１０とテレビ３０とは、以下のようにして連携する。すなわち、連携ボタンへの押下が入力受付部１１３によって検出されると、まず、状態管理部１１４は携帯情報端末１０とテレビ３０との通信状態を判定する。状態管理部１１４によって携帯情報端末１０とテレビ３０とが通信可能な状態であると判定されると、第２表示制御部１１５は、第２通信部１３０を介して、表示部１６０に現在表示されている画面を、テレビ３０に送信する。その結果、図１０の（ｂ）に示すように、携帯情報端末１０の表示部１６０に表示されている画面と同じ画面が、テレビ３０にも表示され、つまり、携帯情報端末１０とテレビ３０とが連携する。なお、図１０の（ｂ）において、テレビ３０は、携帯情報端末１０の表示部１６０に表示されている画面と同じ画面を右側に、携帯情報端末１０以外から取得したコンテンツを、つまり、ヤポンテレビ（４チャンネル）で放映中の番組（「巨神Ｖｓ広日」の野球の試合）を左側に表示している。
【０１５１】
携帯情報端末１０とテレビ３０とが連携している状態で、携帯情報端末１０の表示部１６０に表示されているツイート表示ボタンが押下されたことを入力受付部１１３が検出すると、携帯情報端末１０は以下の２つの処理を実行する。すなわち、携帯情報端末１０は、複数の外部表示装置用広告（例えば、Ａｄ１ｔ１とＡｄ１ｔ２）のうち、いずれの広告を、テレビ３０に表示させるかを、ユーザに選択させるための画面を表示部１６０に表示させる。また、上記画面のデータをテレビ３０に送信し、テレビ３０においても、複数の外部表示装置用広告のうち、いずれの広告を、テレビ３０に表示させるかを、ユーザに選択させるための画面を表示させる。
【０１５２】
図１０の（ｃ）には、携帯情報端末１０の表示部１６０と、テレビ３０とに、複数の外部表示装置用広告のうち、いずれの広告を、テレビ３０に表示させるかを、ユーザに選択させるための画面が表示されている状況が示されている。なお、図１０の（ｃ）において、ボタンＢ１は、外部表示装置用広告Ａｄ１ｔ１に対応するボタンであり、ボタンＢ２は、外部表示装置用広告Ａｄ１ｔ１に対応するボタンである。
【０１５３】
図１０の（ｃ）に示す状態において、ユーザが、携帯情報端末１０の表示部１６０に表示されているＢ１にタッチしたことが入力受付部１１３によって検出されると、携帯情報端末１０は以下の処理を実行する。すなわち、携帯情報端末１０（より正確には、第２表示制御部１１５）は、ボタンＢ１に対応する広告Ａｄ１ｔ１を広告データ１７１から取得し、Ａｄ１ｔ１をテレビ３０に送信し、テレビ３０にＡｄ１ｔ１を表示させる。図１０の（ｄ）には、テレビ３０に、ユーザがタッチしたボタンＢ１に対応する広告Ａｄ１ｔ１が表示されている状態が示されている。
【０１５４】
以上に説明したように、本実施形態においては、携帯情報端末１０の表示部１６０に、テレビ３０に表示させる広告（Ａｄ１ｔ１またはＡｄ１ｔ２）を選択させる画面を表示させ、テレビ３０に表示させる広告をユーザに選択することができる。ユーザは、Ａｄ１ｔ１をテレビ３０に表示させたい場合にはボタンＢ１を、Ａｄ１ｔ２をテレビ３０に表示させたい場合にはボタンＢ２を、押下すればよい。
【０１５５】
先に説明した実施形態１では、テレビ３０に表示させる広告をユーザが選択することはできなかった。これに対し、本実施形態においては、携帯情報端末１０は、ユーザの希望する広告を、テレビ３０に表示させることができる。
【０１５６】
なお、以上の説明においては、Ａｄ１ｔ１またはＡｄ１ｔ２のいずれか一方をユーザに選択させ、テレビ３０に表示させる例を示した。しかしながら、ユーザに提示する選択肢が２つであること、つまりＡｄ１ｔ１およびＡｄ１ｔ２であることは必須ではなく、複数の広告を選択肢としてユーザに提示し、該複数の広告から少なくとも１つを、ユーザに選択させればよい。
【０１５７】
〔実施形態３〕
本実施の形態の携帯情報端末１０は、上記の第１の実施の形態または第２の実施の形態で説明した処理とは別の処理を実行する。なお、記載の簡潔性を担保するため、これまでに説明した第１の実施の形態または第２の実施の形態とは異なる構成（処理の手順及び処理の内容）のみについて説明する。すなわち、これまでに説明した各実施の形態で記載された構成等は、本実施の形態にもすべて含まれ得る。また、第１の実施の形態で記載した用語の定義も同じである。
【０１５８】
図１１は、本実施の形態の携帯情報端末１０を含む、広告システム２の概要を示す図である。これまでの実施の形態において説明した携帯情報端末１０は、広告配信サーバ２０から、携帯情報端末用広告（例えば広告Ａｄ１ｍ）と、１つ以上の外部表示装置用広告（例えば広告Ａｄ１ｔ）とを取得し、自装置（表示部１６０）には携帯情報端末用広告を表示させ、テレビ３０には外部表示装置用広告を表示させた。これに対し、本実施の形態の携帯情報端末１０は、図１１に示すように、広告配信サーバ２０から、携帯情報端末用広告（例えば広告Ａｄ１ｍ）のみを取得し、自装置（表示部１６０）とテレビ３０とに、携帯情報端末用広告を表示させる。そして、テレビ３０に携帯情報端末用広告を表示させたことを、表示結果情報１７２として、広告配信サーバ２０に送信する。
【０１５９】
上記の構成によれば、携帯情報端末用の広告を、テレビ３０においても表示させるため、携帯情報端末１０が広告配信サーバ２０から取得する広告は１種類のみでよく、携帯情報端末１０の構造を、単純化させることができる。また、携帯情報端末１０の表示部１６０だけでなく、テレビ３０にも、同じ広告が表示されるため、ユーザの目に触れやすい。
【０１６０】
図１２は、広告システム２における、携帯情報端末１０とテレビ３０と広告配信サーバ２０との処理の流れを示すフローチャートである。
【０１６１】
図７のＳ１１と異なり、本実施の形態の携帯情報端末１０（より正確には、広告取得部１１１）は、広告配信サーバ２０から、携帯情報端末用広告（例えば広告Ａｄ１ｍ）のみを取得する（Ｓ１１−Ｂ）。その後、テレビ３０との連携状態を確認すると、携帯情報端末１０は、自装置（表示部１６０）で携帯情報端末用広告を表示させたときに、その広告を含む表示部１６０に表示させている内容（画面データ）をそのままテレビ３０に転送する（Ｓ１４−Ｂ）。
【０１６２】
テレビ３０は上記携帯情報端末用広告を含む表示部１６０の画面データを受信し、上記携帯情報端末用広告がテレビ３０の画面に表示される（Ｓ３３−Ｂ）。
【０１６３】
そして、携帯情報端末１０は、上記携帯情報端末用広告を、テレビ３０に表示させた旨を含む表示結果情報１７２を記憶部１７０に格納する（Ｓ１５−Ｂ）。具体的には、第２表示制御部１１５は、テレビ３０に送信し、テレビ３０に表示させた上記携帯情報端末用広告の識別情報を、つまりＡｄ１ｍを、表示結果情報１７２として格納する。例えば、図３に例示する表示結果情報１７２に即して言えば、第２表示制御部１１５は、「外部表示装置広告識別情報」の列に、テレビ３０に表示させた上記携帯情報端末用広告の識別情報（Ａｄ１ｍ）を格納する。さらに、テレビ３０と通信し、携帯情報端末１０とテレビ３０との連携状態を判定する状態管理部１１４が、携帯情報端末１０とテレビ３０とが連携していると判定する場合には、テレビ３０を一意に特定するための識別番号をテレビ３０から取得し、該識別番号を表示結果情報１７２の「外部表示装置識別情報」の列に格納してもよい。
【０１６４】
図１５は、広告システム２、および後述する広告システム３における、携帯情報端末１０およびテレビ３０の画面遷移図である。
【０１６５】
図１５に示すように、本実施の形態の携帯情報端末１０は、表示部１６０に表示させている広告Ａｄ１ｍを、テレビ３０に送信し、テレビ３０おいても、広告Ａｄ１ｍを表示させる。なお、広告Ａｄ１ｍの表示結果については、携帯情報端末１０に加え、テレビ３０でも表示させた旨を含む表示結果情報１７２を広告配信サーバ２０に送信する。
【０１６６】
以上のように、テレビ３０（の広告枠）にテレビ３０専用の広告画像を別に送るのではなく、テレビ３０は、携帯情報端末１０の表示部１６０に表示されている内容をそのまま表示している。つまり、携帯情報端末１０は、表示部１６０に表示させている内容をそのままテレビ３０に転送して、テレビ３０に表示させる。従って、テレビ３０は、単に表示部１６０の画面を表示するだけで、広告を表示できることになる。すなわち、テレビ３０との連携状態において、自装置に広告を表示するということは、テレビ３０にも広告が表示されることとなり、携帯情報端末１０はテレビ３０での広告表示を把握することができる。
【０１６７】
〔実施形態４〕
本実施の形態の携帯情報端末１０は、上記までの各実施の形態で説明した処理とは別の処理を実行する。なお、記載の簡潔性を担保するため、上記までの各実施の形態と異なる構成（処理の手順及び処理の内容）のみについて説明する。すなわち、これまでに説明した各実施の形態で記載された構成等は、本実施の形態にもすべて含まれ得る。また、上記までの各実施の形態で記載した用語の定義も同じである。
【０１６８】
図１３は、本実施の形態の携帯情報端末１０を含む、広告システム３の概要を示す図である。本実施の形態の携帯情報端末１０は、図１３に示すように、広告配信サーバ２０から、携帯情報端末用広告（例えば広告Ａｄ１ｍ）のみを取得し、自装置（表示部１６０）とテレビ３０とに、携帯情報端末用広告を表示させる。ただし、本実施の形態の携帯情報端末１０は、上記の第３の実施の形態における携帯情報端末１０と異なり、テレビ３０から、テレビ３０の画面サイズを取得（受信）し、テレビ３０の画面サイズを、テレビ３０に広告を表示させたという情報と一緒に、表示結果情報１７２として、広告配信サーバ２０に送信する。
【０１６９】
図１４は、広告システム３における、携帯情報端末１０とテレビ３０と広告配信サーバ２０との処理の流れを示すフローチャートである。
【０１７０】
図７のＳ１１と異なり、本実施の形態の携帯情報端末１０（より正確には、広告取得部１１１）は、広告配信サーバ２０から、携帯情報端末用広告（例えば広告Ａｄ１ｍ）のみを取得する（Ｓ１１−Ｃ）。
【０１７１】
その後、状態管理部１１４は、テレビ３０に、テレビ３０と携帯情報端末１０とが連携しているかを問い合わせる。その際、状態管理部１１４は、テレビ３０が携帯情報端末１０と連携している場合には、テレビ３０の画面サイズを携帯情報端末１０に送信するよう、テレビ３０に指示する。
【０１７２】
テレビ３０は、携帯情報端末１０と連携しているか、の回答を携帯情報端末１０に送信し、テレビ３０と携帯情報端末１０とが連携している場合には、さらに、テレビ３０の画面サイズを、携帯情報端末１０に送信する（Ｓ３１−Ｃ）。
【０１７３】
状態管理部１１４によって、テレビ３０との連携状態が確認されると、携帯情報端末１０は自装置（表示部１６０）で携帯情報端末用広告を表示させたときに、その広告を含む表示部１６０に表示させている内容（画面データ）をそのままテレビ３０に転送する（Ｓ１４−Ｃ）。
【０１７４】
テレビ３０は上記携帯情報端末用広告を含む表示部１６０の画面データを受信し、上記携帯情報端末用広告がテレビ３０の画面に表示される（Ｓ３３−Ｃ）。
【０１７５】
そして、携帯情報端末１０は、上記携帯情報端末用広告をテレビ３０に表示させた旨と、テレビ３０の画面サイズとを含む表示結果情報１７２を記憶部１７０に格納する（Ｓ１５−Ｃ）。具体的には、第２表示制御部１１５は、テレビ３０に送信し、テレビ３０に表示させた上記携帯情報端末用広告の識別情報を、つまりＡｄ１ｍを、表示結果情報１７２として格納する。例えば、図３に例示する表示結果情報１７２に即して言えば、第２表示制御部１１５は、「外部表示装置広告識別情報」の列に、テレビ３０に表示させた上記携帯情報端末用広告の識別情報（Ａｄ１ｍ）を格納する。また、状態管理部１１４は、Ｓ３１−Ｃにおいてテレビ３０から送信されたテレビ３０の画面サイズを、表示結果情報１７２として記憶部１７０に格納する。例えば、図３に例示する表示結果情報１７２に即して言えば、状態管理部１１４は、「外部表示装置画面サイズ」の列に、テレビ３０の画面サイズを格納する。さらに、テレビ３０と通信し、携帯情報端末１０とテレビ３０との連携状態を判定する状態管理部１１４が、携帯情報端末１０とテレビ３０とが連携していると判定する場合には、テレビ３０を一意に特定するための識別番号をテレビ３０から取得し、該識別番号を表示結果情報１７２の「外部表示装置識別情報」の列に格納してもよい。
【０１７６】
図１５は、上述の広告システム２、および広告システム３における、携帯情報端末１０およびテレビ３０の画面遷移図である。なお、広告システム３における、携帯情報端末１０およびテレビ３０の画面遷移は、広告システム２における、携帯情報端末１０およびテレビ３０の画面遷移と同じであり、図１５に例示される。本実施の形態の携帯情報端末１０は、上記第３の実施の形態の形態とは異なり、テレビ３０との連携状態を確認する際、テレビ３０と連携している場合には、テレビ３０の画面サイズも、テレビ３０から受信する。そして、携帯情報端末１０は、テレビ３０に広告を表示させた旨の情報と一緒に、該広告を表示させたテレビ３０の画面サイズを、表示結果情報１７２として、広告配信サーバ２０に送信する。
【０１７７】
上記の構成によれば、本実施の形態の広告配信サーバ２０は、各広告について、該広告が外部表示されたか否かのみではなく、該広告が外部表示装置（テレビ３０）に表示された場合、該外部表示装置の画面サイズを管理することができる。
【０１７８】
従って、本実施の形態に係る広告システム３においては、外部表示装置（テレビ３０）の画面サイズに応じた課金が可能となる。
【０１７９】
〔実施形態５〕
本実施の形態の携帯情報端末１０は、上記までの各実施の形態で説明した処理とは別の処理を実行する。なお、記載の簡潔性を担保するため、上記までの各実施の形態と異なる構成（処理の手順及び処理の内容）のみについて説明する。すなわち、これまでに説明した各実施の形態で記載された構成等は、本実施の形態にもすべて含まれ得る。また、第１の実施の形態で記載した用語の定義も同じである。
【０１８０】
図１６は、本実施の形態の携帯情報端末１０を含む、広告システム４の概要を示す図である。本実施の形態の携帯情報端末１０は、図１６に示すように、まず、テレビ３０から、テレビ３０から、テレビ３０の画面サイズを取得（受信）する。そして、テレビ３０の画面サイズに応じた広告Ａｄ１ｘを、携帯情報端末用広告Ａｄ１ｍと一緒に、広告配信サーバ２０から取得する。そして、自装置（表示部１６０）に携帯情報端末用広告Ａｄ１ｍを表示させる一方、広告Ａｄ１ｘをテレビ３０に送信し、テレビ３０に表示させる。そして、テレビ３０に表示させた広告Ａｄ１ｘの画面サイズを、テレビ３０に広告Ａｄ１ｘを表示させたという情報と一緒に、広告の表示結果情報１７２として、広告配信サーバ２０に送信する。なお、詳細は後述するが、広告Ａｄ１ｘの画面サイズは、テレビ３０の画面サイズと同じものである必要はなく、本実施の形態の携帯情報端末１０は、広告Ａｄ１ｘの画面サイズを、広告の表示結果情報１７２として、広告配信サーバ２０に送信する。なお、広告Ａｄ１ｘの画面サイズに加えてさらに、テレビ３０の画面サイズを、広告の表示結果情報１７２として、広告配信サーバ２０に送信してもよい。
【０１８１】
図１７は、広告システム４における、携帯情報端末１０とテレビ３０と広告配信サーバ２０との処理の流れを示すフローチャートである。
【０１８２】
まず、携帯情報端末１０は、テレビ３０から、テレビ３０の画面サイズを取得する（Ｓ１０−Ｄ）。具体的には、状態管理部１１４は、第２通信部１３０を介して、テレビ３０に、テレビ３０の画面サイズをリクエストする。上記リクエストを受信すると、テレビ３０は、自装置の画面サイズを携帯情報端末１０に送信する（Ｓ３０−Ｄ）。テレビ３０が送信したテレビ３０の画面サイズを、状態管理部１１４が、第２通信部１３０を介して、取得する。
【０１８３】
次に、広告取得部１１１は、第１通信部１２０を介して、広告配信サーバ２０から、携帯情報端末用広告Ａｄ１ｍと、状態管理部１１４によって取得されたテレビ３０の画面サイズに応じた広告Ａｄ１ｘとを取得する（Ｓ１１−Ｄ）。ここで、例えば、広告Ａｄ１ｍはスマホ等の携帯情報端末用の画面サイズの広告であり、広告Ａｄ１ｔ１は３２インチ以下のテレビ画面のための画面サイズの広告であり、広告Ａｄ１ｔ２は３２インチ以上のテレビ画面のための画面サイズの広告であるとすれば、広告取得部１１１は、以下のようにして、Ａｄ１ｘを取得する。例えば、テレビ３０の画面サイズが３０インチであった場合、広告取得部１１１は、Ａｄ１ｘとして、広告Ａｄ１ｔ１を、広告配信サーバ２０から取得する。なお、上記の説明からも明らかなように、広告の画面サイズと該広告が表示される画面の画面サイズとは必ずしも一致しない。
【０１８４】
その後、テレビ３０との連携状態を確認すると、携帯情報端末１０（より正確には、第２表示制御部１１５）は、テレビ３０に、テレビ３０の画面サイズに応じた広告Ａｄ１ｘを送信する（Ｓ１３−Ｄ）。テレビ３０は広告Ａｄ１ｘを受信し（Ｓ３２−Ｄ）、広告Ａｄ１ｘがテレビ３０の画面に表示される（Ｓ３３−Ｄ）。
【０１８５】
そして、携帯情報端末１０は、テレビ３０の画面サイズに応じた広告Ａｄ１ｘをテレビ３０に表示させた旨と、広告Ａｄ１ｘの画面サイズとを含む表示結果情報１７２を記憶部１７０に格納する（Ｓ１５−Ｄ）。具体的には、第２表示制御部１１５は、テレビ３０に送信し、テレビ３０に表示させた広告Ａｄ１ｘの識別情報を、例えばＡｄ１ｔを、表示結果情報１７２として格納する。図３に例示する表示結果情報１７２に即して言えば、第２表示制御部１１５は、「外部表示装置広告識別情報」の列に、テレビ３０に表示させた広告Ａｄ１ｘの識別情報（Ａｄ１ｔ）を格納する。また、第２表示制御部１１５は、広告Ａｄ１ｘの画面サイズを表示結果情報１７２として格納する。さらに、テレビ３０と通信し、携帯情報端末１０とテレビ３０との連携状態を判定する状態管理部１１４が、携帯情報端末１０とテレビ３０とが連携していると判定する場合には、テレビ３０を一意に特定するための識別番号をテレビ３０から取得し、該識別番号を表示結果情報１７２の「外部表示装置識別情報」の列に格納してもよい。また、状態管理部１１４によって、テレビ３０の画面サイズが、「外部表示装置画面サイズ」の列に格納されてもよい。第２表示制御部１１５、状態管理部１１４、および第１表示制御部１１２によって記憶部１７０に格納されたこれらの情報は、表示結果情報１７２として、広告配信サーバ２０に送信される。
【０１８６】
図２０は、広告システム４および後述する広告システム５における、携帯情報端末１０およびテレビ３０の画面遷移図である。図２０に示すように、携帯情報端末１０は、テレビ３０の画面サイズに応じた画面サイズの広告を、テレビ３０に表示させることが可能となる。
【０１８７】
携帯情報端末１０は、テレビ３０に広告を送信する前の段階で、テレビ３０の画面サイズを取得する。そして、取得したテレビ３０の画面サイズに応じた画面サイズの広告を、広告配信サーバ２０から取得する。テレビ３０に広告を表示したことを広告配信サーバ２０に送信する際に、表示した広告の画面サイズも広告配信サーバ２０に送信する。
【０１８８】
上記の構成によれば、テレビ３０の画面サイズに応じた課金が可能となる。特に、広告について、表示画面のサイズに応じた画面サイズの広告を予め広告配信サーバ２０に登録（入稿）しておく仕組みがあった場合に、対応することができる。
【０１８９】
また、予めテレビ３０の画面サイズに応じた広告を取得するので、テレビ３０に表示させることのできない画面サイズの広告を取得してしまうといった無駄がない。さらに、テレビ３０に表示させる広告が、テレビ３０の画面に相応しくないといった事態を避けることもできる。
【０１９０】
〔実施形態６〕
本実施の形態の携帯情報端末１０は、上記までの各実施の形態で説明した処理とは別の処理を実行する。なお、記載の簡潔性を担保するため、上記までの各実施の形態とは異なる構成（処理の手順及び処理の内容）のみについて説明する。すなわち、これまでに説明した各実施の形態で記載された構成等は、本実施の形態にもすべて含まれ得る。また、第１の実施の形態で記載した用語の定義も同じである。
【０１９１】
図１８は、本実施の形態の携帯情報端末１０を含む、広告システム５の概要を示す図である。本実施の形態の携帯情報端末１０は、図１８に示すように、広告配信サーバ２０から、複数の画面サイズの広告（例えば、Ａｄ１ｓ１、Ａｄ１ｓ２、Ａｄ１ｓ３、Ａｄ１ｓ４）を取得する。次に、テレビ３０から、テレビ３０から、テレビ３０の画面サイズを取得（受信）する。そして、広告配信サーバ２０から取得した、上記複数の画面サイズの広告の中から、自装置（表示部１６０）には、表示部１６０の画面サイズに応じた広告（例えば、広告Ａｄ１ｓ１）を表示させる。また、テレビ３０には、テレビ３０の画面サイズに応じた広告（例えば広告Ａｄ１ｓ２）を送信し、該広告をテレビ３０に表示させる。そして、テレビ３０に表示させた広告Ａｄ１ｓ２の画面サイズを、テレビ３０に広告Ａｄ１ｓ２を表示させたという情報と一緒に、広告の表示結果情報１７２として、広告配信サーバ２０に送信する。なお、広告Ａｄ１ｓ２の画面サイズに加えてさらに、テレビ３０の画面サイズを、広告の表示結果情報１７２として、広告配信サーバ２０に送信してもよい。
【０１９２】
図１９は、広告システム５における、携帯情報端末１０とテレビ３０と広告配信サーバ２０との処理の流れを示すフローチャートである。
【０１９３】
まず、携帯情報端末１０は、テレビ３０から、テレビ３０の画面サイズを取得する（Ｓ１０−Ｅ）。具体的には、状態管理部１１４は、第２通信部１３０を介して、テレビ３０に、テレビ３０の画面サイズをリクエストする。上記リクエストを受信すると、テレビ３０は、自装置の画面サイズを携帯情報端末１０に送信する（Ｓ３０−Ｅ）。テレビ３０が送信したテレビ３０の画面サイズを、状態管理部１１４が、第２通信部１３０を介して、取得する。
【０１９４】
次に、広告取得部１１１は、第１通信部１２０を介して、広告配信サーバ２０から、複数の画面サイズの広告（例えば、Ａｄ１ｓ１、Ａｄ１ｓ２、Ａｄ１ｓ３、Ａｄ１ｓ４）を取得する（Ｓ１１−Ｅ）。なお、例えば、広告Ａｄ１ｓ１はスマホ等の携帯情報端末用の画面サイズの広告であり、広告Ａｄ１ｓ２は３２インチ以下のテレビ画面のための画面サイズの広告であり、広告Ａｄ１ｓ３は３２インチから４０インチまでのテレビ画面のための画面サイズの広告であり、広告Ａｄ１ｓ４は４０インチより大きなテレビ画面のための画面サイズの広告であるとする。
【０１９５】
その後、テレビ３０との連携状態を確認すると、携帯情報端末１０（より正確には、第２表示制御部１１５）は、テレビ３０に、テレビ３０の画面サイズに応じた広告を送信する（Ｓ１３−Ｅ）。例えば、テレビ３０の画面サイズが３０インチであった場合、第２表示制御部１１５は、Ａｄ１ｓ２をテレビ３０に送信する。
【０１９６】
テレビ３０は、携帯情報端末１０から送信された広告（例えば、広告Ａｄ１ｓ２）を受信し（Ｓ３２−Ｅ）、該広告がテレビ３０の画面に表示される（Ｓ３３−Ｅ）。
【０１９７】
そして、携帯情報端末１０は、テレビ３０の画面サイズに応じた広告（例えば、広告Ａｄ１ｓ２）をテレビ３０に表示させた旨と、該広告の画面サイズとを含む表示結果情報１７２を記憶部１７０に格納する（Ｓ１５−Ｅ）。具体的には、第２表示制御部１１５は、テレビ３０に送信し、テレビ３０に表示させた広告の識別情報を、例えばＡｄ１ｓ２を、表示結果情報１７２として格納する。図３に例示する表示結果情報１７２に即して言えば、第２表示制御部１１５は、「外部表示装置広告識別情報」の列に、テレビ３０に表示させた広告の識別情報（Ａｄ１ｓ２）を格納する。また、第２表示制御部１１５は、広告Ａｄ１ｓ２の画面サイズを表示結果情報１７２として格納する。さらに、テレビ３０と通信し、携帯情報端末１０とテレビ３０との連携状態を判定する状態管理部１１４が、携帯情報端末１０とテレビ３０とが連携していると判定する場合には、テレビ３０を一意に特定するための識別番号をテレビ３０から取得し、該識別番号を表示結果情報１７２の「外部表示装置識別情報」の列に格納してもよい。また、状態管理部１１４によって、テレビ３０の画面サイズが、「外部表示装置画面サイズ」の列に格納されてもよい。第２表示制御部１１５、状態管理部１１４、および第１表示制御部１１２によって記憶部１７０に格納されたこれらの情報は、表示結果情報１７２として、広告配信サーバ２０に送信される。
【０１９８】
図２０は、上述の広告システム４および広告システム５における、携帯情報端末１０およびテレビ３０の画面遷移図である。図２０に示すように、本実施の形態に係る携帯情報端末１０は、テレビ３０の画面サイズに応じた画面サイズの広告を、テレビ３０に表示させることが可能となる。
【０１９９】
本実施の形態の携帯情報端末１０は、テレビ３０に送信し、テレビ３０に表示させるための広告について、予め複数のサイズの広告を広告配信サーバ２０から取得しておく。その後、携帯情報端末１０は、テレビ３０から、テレビ３０の画面サイズを取得する。携帯情報端末１０がテレビ３０に広告を表示させる際、テレビ３０の画面サイズに応じて、表示させる広告を変更する。すなわち、予め広告配信サーバ２０から取得した複数のサイズの広告から、テレビ３０の画面サイズに対応する画面サイズの広告を、テレビ３０に送信する。そして、本実施の形態の携帯情報端末１０は、テレビ３０に広告を表示させたことを広告配信サーバ２０に送信する際、表示した広告の画面サイズも広告配信サーバ２０に送信する。なお、広告の画面サイズに加えてさらに、テレビ３０の画面サイズを、広告配信サーバ２０に送信してもよい。
【０２００】
上記の構成によれば、広告システム１において、テレビ３０の画面サイズに応じた課金が可能となる。広告について、表示画面のサイズに応じた広告を予め広告配信サーバ２０に登録（入稿）しておく仕組みがあった場合に、対応することができる。
【０２０１】
〔実施形態７〕
本実施の形態の携帯情報端末１０は、上記までの各実施の形態で説明した処理とは別の処理を実行する。なお、記載の簡潔性を担保するため、上記までの各実施の形態とは異なる構成（処理の手順及び処理の内容）のみについて説明する。すなわち、これまでに説明した各実施の形態で記載された構成等は、本実施の形態にもすべて含まれ得る。また、第１の実施の形態で記載した用語の定義も同じである。
【０２０２】
図２１は、携帯情報端末１０を含む、広告システム６の概要を示す図である。本実施の形態の携帯情報端末１０は、第１の実施の形態の携帯情報端末１０と同じように、広告配信サーバ２０から、携帯情報端末用広告（例えば広告Ａｄ１ｍ）と、１つ以上の外部表示装置用広告（例えば広告Ａｄ１ｔ）とを取得し、自装置（表示部１６０）には携帯情報端末用広告を表示させ、テレビ３０には外部表示装置用広告を表示させる。そして、自装置（表示部１６０）に表示させた携帯情報端末用広告に対するユーザ操作（例えば、タップ・タッチ）を検出すると、該ユーザ操作があった旨と、テレビ３０に外部表示装置用広告を表示させた旨とを含む、表示結果情報１７２を、広告配信サーバ２０に送信する。
【０２０３】
図２２は、広告システム６における、携帯情報端末１０とテレビ３０と広告配信サーバ２０との処理の流れを示すフローチャートである。
【０２０４】
表示部１６０に表示されている広告に対するユーザ操作（例えば、タップ・タッチ）が入力受付部１１３によって検出されると、第１表示制御部１１２および第２表示制御部１１５は、各々、以下の処理を実行する。すなわち、第１表示制御部１１２は、ユーザ操作（例えば、タップ・タッチ）がなされた上記広告を、表示部１６０に全画面表示させる。すなわち、上記広告の拡大広告を、表示部１６０に表示させる。また、第２表示制御部１１５は、上記拡大広告をテレビ３０に送信する（Ｓ１９−Ｆ１）。
【０２０５】
テレビ３０は、第２表示制御部１１５から送信された上記拡大広告を受信し、上記拡大広告がテレビ３０の画面（より正確には、画面右側に設定される、携帯情報端末１０から取得したコンテンツが表示される枠の全域）に表示される（Ｓ３４−Ｆ）。
【０２０６】
そして、携帯情報端末１０は、表示部１６０に表示されていた広告に対するユーザ操作（例えば、タップ・タッチ）があったこと、テレビ３０にも上記拡大広告を表示させたことを、表示結果情報１７２として、記憶部１７０に記憶する。具体的には、入力受付部１１３によって、上記ユーザ操作があった旨が記憶部１７０に記憶されてもよいし、第２表示制御部１１５によって、上記拡大広告がテレビ３０に表示されたことが、記憶部１７０に記憶されてもよい。携帯情報端末１０は、表示部１６０に表示していた広告に対するユーザ操作があったことと、該ユーザ操作の際に、テレビ３０にも広告が表示されていたこととを含む表示結果情報１７２を、広告配信サーバ２０に送信する。
【０２０７】
図２３は、広告システム６における、携帯情報端末１０およびテレビ３０の画面遷移図である。図２３に示すように、携帯情報端末１０は、携帯情報端末１０から送信された広告Ａｄ１ｔがテレビ３０において表示されている状況において、表示部１６０に表示されている広告Ａｄ１ｍにユーザがタップしたことを検出すると、広告Ａｄ１ｍがタップされたことに加え、テレビ３０に広告Ａｄ１ｔが表示されていたことを、広告配信サーバ２０に送信する。
【０２０８】
なお、広告に対するユーザ操作（例えば、タップ・タッチ）がなされた場合の処理について、拡大広告を表示する以外にも、広告した商品やサービスを表示してもよい（例えば、広告がファッション広告の場合、タップするとファッションサイトに飛んでもよい）。
【０２０９】
上記の構成によれば、携帯情報端末１０の広告をタップした際に、テレビ３０にも広告を表示させていたという、広告の表示状況に基づく追加料金を、広告表示に係る課金のしくみに追加することができる。
【０２１０】
また、携帯情報端末１０は、近距離無線通信または有線通信によって、テレビ３０に広告を送信し、該広告をテレビ３０の画面に表示させている場合、携帯情報端末１０がテレビ３０に表示させたことに加え、表示部１６０に表示した広告に対してユーザの操作があったことを把握することによって、以下の状況を把握することができる。すなわち、テレビ３０が携帯情報端末１０に近傍し、携帯情報端末１０がテレビ３０に広告を表示させている状態において、ユーザは、表示部１６０に表示されている広告に対して、操作を行ったという状況を把握することが可能となる。
【０２１１】
〔実施形態８〕
携帯情報端末１０の制御ブロック（特に、広告取得部１１１、第１表示制御部１１２、入力受付部１１３、状態管理部１１４、第２表示制御部１１５、送信部１１６）は、集積回路（ＩＣチップ）等に形成された論理回路（ハードウェア）によって実現してもよいし、ＣＰＵ（Central Processing Unit）を用いてソフトウェアによって実現してもよい。
【０２１２】
後者の場合、携帯情報端末１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２１３】
〔まとめ〕
本発明の態様１に係るコンテンツ再生装置（携帯情報端末１０）は、サーバ装置（広告配信サーバ２０）から取得した広告を表示する表示部１６０を備えたコンテンツ再生装置であって、上記表示部に表示した第１の広告（携帯情報端末用広告）あるいは該第１の広告に対応する第２の広告（外部表示装置用広告）を外部表示装置（テレビ３０）に送信し、該外部表示装置に表示させる外部表示制御手段（第２表示制御部１１５）と、上記外部表示制御手段によって上記外部表示装置に上記第１の広告あるいは上記第２の広告が表示されたとき、上記外部表示装置に上記第１の広告あるいは上記第２の広告を表示した旨を示す表示結果情報を、上記サーバ装置に送信する表示結果情報送信手段（送信部１１６）と、を備えていることを特徴としている。
【０２１４】
本発明の態様８に係るコンテンツ再生装置の制御方法は、サーバ装置から取得した広告を表示する表示部を備えたコンテンツ再生装置の制御方法であって、上記表示部に表示した第１の広告あるいは該第１の広告に対応する第２の広告を外部表示装置に送信し、該外部表示装置に表示させる外部表示制御ステップ（Ｓ１３）と、上記外部表示制御ステップにて上記外部表示装置に上記第１の広告あるいは上記第２の広告が表示されたとき、上記外部表示装置に上記第１の広告あるいは上記第２の広告を表示した旨を示す表示結果情報を、上記サーバ装置に送信する表示結果情報送信ステップ（Ｓ１６）と、を含むことを特徴としている。
【０２１５】
本発明のコンテンツ再生装置の上記の構成および方法によれば、サーバ装置から取得した広告を自装置において表示し、自装置において表示した第１の広告、あるいは該第１の広告に対応する第２の広告を外部表示装置に表示させると、該外部表示装置に広告を表示した旨を示す表示結果情報を、該サーバ装置に送信する。
【０２１６】
従って、自装置において広告を表示することができ、さらに、自装置において表示した第１の広告、あるいは該第１の広告に対応する第２の広告の、上記外部表示装置における表示状況を、つまり、上記外部表示装置に該第１の広告、あるいは該第２の広告を表示させたことを、上記サーバ装置に送信し、上記サーバ装置に管理（把握）させることができる。上記サーバ装置に上記外部表示装置における広告の表示状況を把握させることによって、広告を提供する者に、実際に該広告が上記外部表示装置に表示されたかどうかを報告することができ、上記外部表示装置における広告の表示状況を広告主が把握することのできる新しい広告のシステムを構築することができる。
【０２１７】
なお、上記コンテンツ再生装置が、上記第１の広告あるいは上記第２の広告を、近距離無線通信または有線通信によって、上記外部表示装置に送信し、上記外部表示装置に表示させている場合、上記コンテンツ再生装置が上記外部表示装置に上記第１の広告、あるいは上記第２の広告を表示させたことを把握することによって、以下の状況を把握することができる。すなわち、上記コンテンツ再生装置が上記外部表示装置に上記第１の広告、あるいは上記第２の広告を表示させた時点において、上記外部表示装置は上記コンテンツ再生装置に近傍していたということを、上記サーバ装置に把握させることができる。従って、広告を提供する者に、該広告が上記外部表示装置に表示されたということを報告する場合、以下の状況を併せて報告することができる。すなわち、上記外部表示装置は上記コンテンツ再生装置に近傍しており、上記コンテンツ再生装置の上記表示部に表示された広告に関心を持ったユーザが、該広告を、上記コンテンツ再生装置から、上記コンテンツ再生装置に近傍する上記外部表示装置に、該広告を表示させた、という表示状況を、広告を提供する者に報告することが可能となる。
【０２１８】
本発明の態様２に係るコンテンツ再生装置は、上記態様１において、上記表示結果情報送信手段は、上記外部表示装置の画面サイズを上記表示結果情報に含めて上記サーバ装置に送信してもよい。
【０２１９】
上記の構成によれば、上記外部表示装置に上記第１の広告、あるいは上記第２の広告を表示させたことに加え、上記第１の広告、あるいは上記第２の広告を表示させた上記外部表示装置の画面サイズを、上記サーバ装置に把握させることができる。従って、広告を提供する者に、該広告が上記外部表示装置に表示されたということを報告する場合、上記外部表示装置の画面サイズを、併せて報告することができる。これによって、例えば、広告について、表示させた外部表示装置の画面サイズに応じて、課金する広告システムを構築することが可能となる。
【０２２０】
本発明の態様３に係るコンテンツ再生装置は、上記態様１または２において、上記第２の広告を上記サーバ装置から取得する広告取得手段（広告取得部１１１）をさらに備えてもよい。
【０２２１】
上記の構成によれば、上記広告取得手段は、自装置において表示した第１の広告に対応する、上記第２の広告を、上記サーバ装置から取得できる。
【０２２２】
本発明の態様４に係るコンテンツ再生装置は、上記態様３において、上記広告取得手段は、上記サーバ装置から、上記外部表示装置の画面サイズに応じた上記第２の広告を取得してもよい。
【０２２３】
上記の構成によれば、上記外部表示装置の画面サイズに応じた上記第２の広告を、上記サーバ装置から取得することができる。
【０２２４】
従って、上記外部表示装置に表示させる広告が、上記外部表示装置の画面サイズに対応していないといった事態を防ぎつつ、自装置において表示した第１の広告に対応する広告を表示させることができる。
【０２２５】
本発明の態様５に係るコンテンツ再生装置は、上記態様１から４のいずれかにおいて、ユーザの操作に従って、上記第１の広告に対応する複数の上記第２の広告から少なくとも１つを選択する広告選択手段（第２表示制御部１１５）をさらに備え、上記外部表示制御手段は、上記広告選択手段によって選択された上記第２の広告を上記外部表示装置に送信し、該外部表示装置に表示させてもよい。
【０２２６】
上記の構成によれば、上記広告選択手段は、ユーザの操作に従って、上記外部表示装置に表示させる広告を選択し、選択された広告が、上記外部表示制御手段によって、上記外部表示装置に表示される。
【０２２７】
従って、ユーザは、上記外部表示装置に表示させる広告を選択することができる。例えば、或る商品・サービスについて、その商品・サービスの名称のみを告知する広告と、該商品・サービスの名称に加え、該商品・サービスの提供者・販売者、販売開始日時を告知する広告と、さらに該商品・サービスの詳細内容までを告知する広告との３つの広告について、ユーザは必要に応じて以下の選択を行うことができる。すなわち、ユーザは、例えば商品名だけわかれば十分である場合には、商品・サービスの名称のみを告知する広告を上記外部表示装置に表示させる。また、商品・サービスについて、詳細な内容を知りたい場合には、該商品・サービスの詳細内容までを告知する広告を上記外部表示装置に表示させる。
【０２２８】
本発明の態様６に係るコンテンツ再生装置は、上記態様１から５のいずれかにおいて、上記表示部に表示した上記第１の広告に対するユーザの操作を検出する広告操作検出手段（入力受付部１１３）をさらに備え、上記広告操作検出手段によって上記ユーザの操作が検出されたとき、上記表示結果情報送信手段は、上記ユーザの操作が検出されたことを示す操作検出情報を、上記サーバ装置に送信してもよい。
【０２２９】
上記の構成によれば、上記表示結果情報送信手段は、上記サーバ装置に、上記広告操作検出手段によって、上記表示部に表示した上記第１の広告に対するユーザの操作が検出されたことを、送信する。なお、コンテンツ再生装置は、上記サーバ装置へ、上記操作検出情報を、単独で送信してもよいし、上記表示結果情報と一緒に送信してもよい。
【０２３０】
従って、上記外部表示装置に上記第１の広告、あるいは上記第２の広告を表示させたことに加え、上記表示部に表示した上記第１の広告に対してユーザの操作があったことを、上記サーバ装置に送信し、上記サーバ装置に把握させることができる。
【０２３１】
ここで、上記コンテンツ再生装置が、上記第１の広告あるいは上記第２の広告を、近距離無線通信または有線通信によって、上記外部表示装置に送信し、上記外部表示装置に表示させている場合、上記コンテンツ再生装置が上記外部表示装置に上記第１の広告、あるいは上記第２の広告を表示させたことに加え、上記表示部に表示した上記第１の広告に対してユーザの操作があったことを把握することによって、以下の状況を把握することができる。すなわち、上記コンテンツ再生装置と上記外部表示装置とが相互に近傍し、上記コンテンツ再生装置が上記外部表示装置に広告（例えば、上記第２の広告）を表示させている状況において、ユーザが、上記コンテンツ再生装置の上記表示部に表示されている、該広告（上記第２の広告）に対応する広告（上記第１の広告）を操作したという状況を、把握することができる。以上に示したような状況は、ユーザが、上記広告に関心持ったことを示しており、このような状況を把握することによって、広告提供主は、広告効果をとらえる指標を得ることができる。従って、上記コンテンツ再生装置は、上記広告提供主に、広告効果を捉える指標を報告することができ、また、機能性の高い広告媒体を実現することができる。
【０２３２】
本発明の態様７に係る広告システムは、上記態様１から５のいずれかに係るコンテンツ再生装置と、上記コンテンツ再生装置から受信した上記第１の広告あるいは上記第２の広告を表示する外部表示装置と、上記コンテンツ再生装置から上記表示結果情報を受信するサーバ装置と、を含んでいることを特徴としている。
【０２３３】
上記の構成によれば、上記サーバ装置から取得した上記第１の広告が上記コンテンツ再生装置において表示され、上記第１の広告、あるいは上記第２の広告が上記外部表示装置において表示され、さらに、上記サーバ装置は、上記外部表示装置において、上記第１の広告、あるいは上記第２の広告が表示されたことを受信する。
【０２３４】
従って、上記広告システムは、上記サーバ装置から配信（送信）された広告を上記コンテンツ再生装置において表示させ、さらに、上記外部表示装置に上記第１の広告、あるいは上記第２の広告を表示させたことを、上記サーバ装置において管理することができる。
【０２３５】
本発明の各態様に係るコンテンツ再生装置は、コンピュータによって実現してもよく、この場合には、コンピュータを上記コンテンツ再生装置が備える各手段として動作させることにより上記コンテンツ再生装置をコンピュータにて実現させるコンテンツ再生装置の制御プログラム、およびそれを記録したコンピュータ読み取り可能な記録媒体も、本発明の範疇に入る。
【０２３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２３７】
本発明は、スマートフォン、携帯電話、パーソナルコンピュータ、タブレット型端末など、外部の装置と通信可能なコンテンツ再生装置に広く適用することができる。
【符号の説明】
【０２３８】
１  広告システム
１０  携帯情報端末（コンテンツ再生装置）
２０  広告配信サーバ（サーバ装置）
３０  テレビ（外部表示装置）
１１０  制御部
１１１  広告取得部（広告取得手段）
１１２  第１表示制御部
１１３  入力受付部（広告操作検出手段）
１１４  状態管理部
１１５  第２表示制御部（外部表示制御手段、広告選択手段）
１１６  送信部（表示結果情報送信手段）
１２０  第１通信部
１３０  第２通信部
１４０  操作部
１４１  タッチパネル
１４２  操作ボタン
１５０  音声入出力部
１６０  表示部
１７０  記憶部
１７１  広告データ
１７２  表示結果情報
１７３  テレビ制御用アプリ
１７４  ウェブブラウザ
Ａｄ１ｍ  携帯情報端末用広告（第１の広告）
Ａｄ１ｔ  外部表示装置用広告（第２の広告）
【図１】
2014203045.tif 000003
【図２】
2014203045.tif 000004
【図３】
2014203045.tif 000005
【図４】
2014203045.tif 000006
【図５】
2014203045.tif 000007
【図６】
2014203045.tif 000008
【図７】
2014203045.tif 000009
【図８】
2014203045.tif 000010
【図９】
2014203045.tif 000011
【図１０】
2014203045.tif 000012
【図１１】
2014203045.tif 000013
【図１２】
2014203045.tif 000014
【図１３】
2014203045.tif 000015
【図１４】
2014203045.tif 000016
【図１５】
2014203045.tif 000017
【図１６】
2014203045.tif 000018
【図１７】
2014203045.tif 000019
【図１８】
2014203045.tif 000020
【図１９】
2014203045.tif 000021
【図２０】
2014203045.tif 000022
【図２１】
2014203045.tif 000023
【図２２】
2014203045.tif 000024
【図２３】
2014203045.tif 000025